(57)【特許請求の範囲】
【請求項１】
各店舗において会員登録した会員に対して付与される価値を使用して、当該会員に対してイベントへの参加および／または特典の付与を提供するための会員サービス提供システムであって、
各店舗において個別に各会員に対して付与された情報であって各会員を個々に識別可能な会員識別情報が記録され、該会員が会員登録した店舗においてのみ使用可能とされた会員用記録媒体を受付けて、該会員用記録媒体に記録されている前記会員識別情報を読み出す読み出し手段と、
該読み出し手段にて会員識別情報が読み出されることを条件として発生する前記価値の付与対象となる価値付与対象情報と、該読み出された会員識別情報とを送信する価値付与対象情報送信手段と、
を備え、店舗内に設置された店舗用装置と、
複数の各店舗に設置された前記店舗用装置とデータ通信可能に接続され、
各会員が会員となっている各店舗の会員識別情報に対応付けて当該会員が所有する価値の大きさを記憶するための会員所有価値記憶手段と、
前記価値付与対象情報の受信に基づいて、該価値付与対象情報とともに受信した会員識別情報に対応付けて前記会員所有価値記憶手段に記憶されている価値の大きさに、該価値付与対象情報に応じた価値の大きさを加算更新することで付与する価値付与手段と、
各会員が会員となっている各店舗の会員識別情報に対応付けて当該会員の会員属性情報を記憶する会員属性情報記憶手段と、
を備え、店舗外に設置された場外管理装置と、
から成り、
前記場外管理装置は、
前記店舗用装置から取得した該店舗用装置が設置されている店舗の会員の会員識別情報に対応付けて前記会員属性情報記憶手段に記憶されている会員属性情報を特定するとともに、該特定した会員属性情報と同一の会員属性情報に対応付けて前記会員属性情報記憶手段に記憶されている他の会員識別情報を全て特定することにより、当該会員が会員登録している他店舗の会員識別情報を全て特定する会員識別情報特定手段と、
前記店舗用装置から取得した会員属性情報と前記会員識別情報特定手段にて特定した他店舗の会員識別情報に対応付けて前記前記会員所有価値記憶手段に記憶されている価値の大きさを合算することにより、当該会員が会員となっている各店舗において所有する価値の大きさの合計である総所有価値の大きさを特定する総所有価値特定手段と、
前記総所有価値特定手段にて特定された該会員の総所有価値の大きさが前記イベントへの参加に必要な価値の大きさ以上であることを条件に、該会員をイベントへ参加させるための処理を行うイベント参加処理手段、および／または前記総所有価値特定手段にて特定された該会員の総所有価値の大きさが特典の付与に必要な価値の大きさ以上であることを条件に、該会員に特典を付与するための処理を行う特典付与処理手段と、
前記イベント参加処理手段におけるイベントへの参加および／または前記特典付与処理手段における特典の付与がなされた会員の会員識別情報に対応付けて前記会員所有価値記憶手段に記憶されている価値の大きさから、当該会員のイベントへの参加および／または当該会員への特典の付与に消費される消費価値の大きさを減算更新する所有価値減算手段と、
を備えることを特徴とする会員サービス提供システム。
【請求項２】
前記会員所有価値記憶手段は、各会員が会員となっている各店舗の会員識別情報毎に当該会員が該店舗において所有する価値の大きさを記憶し、
前記店舗用装置は、
前記読み出し手段にて読み出した会員識別情報と、当該会員識別情報から特定される会員が会員となっている各店舗での価値の大きさの送信を要求する旨とを含む所有価値情報送信要求を前記場外管理装置に送信する所有価値情報送信要求送信手段を備え、
前記場外管理装置は、
前記所有価値情報送信要求の受信に基づいて、該所有価値情報送信要求に含まれる会員識別情報と、該会員識別情報から前記会員識別情報特定手段により特定される当該会員が会員となっている他店舗における会員識別情報と、に対応付けて前記会員所有価値記憶手段に記憶されている各店舗毎の価値の大きさを特定する店舗別所有価値特定手段と、
該店舗別所有価値特定手段にて特定された各店舗毎の価値の大きさを特定可能な所有価値情報を、前記所有価値情報送信要求の送信元の店舗用装置に送信する所有価値情報送信手段と、
前記店舗用装置は、
前記所有価値情報の受信に基づいて、該受信した所有価値情報から特定される各店舗における価値の大きさを表示する所有価値情報表示手段と、
該所有価値情報表示手段にて表示された各店舗毎における価値の大きさの内、いずれの店舗の価値の大きさから前記消費価値の大きさを消費するかを受付ける消費店舗受付手段と、
該消費店舗受付手段にて受付けた前記消費価値の大きさを消費する店舗を特定可能な情報と、前記読み出し手段にて読み出した会員識別情報とを含む消費情報を送信する消費情報送信手段と、
を備え、
前記所有価値減算手段は、受信した前記消費情報に含まれる会員識別情報から特定される会員が会員となっている店舗の内、前記消費価値の大きさを消費する店舗を該消費情報に含まれる店舗を特定可能な情報により特定し、当該特定した店舗における当該会員の会員識別情報に対応付けて前記会員所有価値記憶手段に記憶されている価値の大きさから、前記消費価値の大きさを減算更新することを特徴とする請求項１に記載の会員サービス提供システム。
【請求項３】
前記店舗用装置は、前記読み出し手段にて読み出した会員識別情報と、前記総所有価値特定手段にて特定された総所有価値の大きさの送信を要求する旨とを含む総所有価値情報送信要求を送信する総所有価値情報送信要求送信手段を備え、
前記場外管理装置は、前記総所有価値情報送信要求の受信に基づいて、該総所有価値情報送信要求に含まれる会員識別情報から特定される会員の前記総所有価値特定手段にて特定された総所有価値の大きさを特定可能な総所有価値情報を、該総所有価値情報送信要求の送信元の店舗用装置に送信する総所有価値情報送信手段を備え、
前記店舗用装置は、前記総所有価値情報の受信に基づいて、該総所有価値情報から特定される総所有価値の大きさを表示する総所有価値表示手段を備えることを特徴とする請求項１または２に記載の会員サービス提供システム。
【請求項４】
前記会員所有価値記憶手段は、各会員が会員となっている各店舗の会員識別情報毎に当該会員が該店舗において所有する価値の大きさを記憶し、
前記場外管理装置は、
会員が操作可能な情報端末から当該会員の会員識別情報と、当該会員が会員となっている各店舗での価値の大きさの送信を要求する旨とを含む所有価値情報送信要求を受信するための所有価値情報送信要求受信手段と、
前記所有価値情報送信要求受信手段における所有価値情報送信要求の受信に基づいて、該所有価値情報送信要求に含まれる会員識別情報と、該会員識別情報から前記会員識別情報特定手段により特定される当該会員が会員となっている他店舗における会員識別情報と、に対応付けて前記会員所有価値記憶手段に記憶されている各店舗毎の価値の大きさを特定する店舗別所有価値特定手段と、
該店舗別所有価値特定手段にて特定された各店舗毎の価値の大きさを特定可能な所有価値情報を、前記所有価値情報送信要求の送信元の情報端末に配信する所有価値情報配信手段と、
該所有価値情報の配信に基づいて前記情報端末において表示される各店舗における価値の大きさの内、いずれの店舗の価値の大きさから前記消費価値の大きさを消費するかが該情報端末にて受付けられることに基づいて、該受付けられた前記消費価値の大きさを消費する店舗を特定可能な情報を含む消費情報を、該情報端末から受信する消費情報受信手段と、
を備え、
前記所有価値減算手段は、前記所有価値情報送信要求受信手段にて受信した所有価値情報送信要求に含まれる会員識別情報から特定される会員が会員となっている店舗の内、前記消費価値の大きさを消費する店舗を前記消費情報受信手段にて受信した消費情報に含まれる店舗を特定可能な情報により特定し、当該特定した店舗における当該会員の会員識別情報に対応付けて前記会員所有価値記憶手段に記憶されている価値の大きさから、前記消費価値の大きさを減算更新することを特徴とする請求項１〜３のいずれかに記載の会員サービス提供システム。
【請求項５】
前記場外管理装置は、
会員が操作可能な情報端末から当該会員の会員識別情報と、前記総所有価値特定手段にて特定された総所有価値の大きさの送信を要求する旨とを含む総所有価値情報送信要求を受信する総所有価値情報送信要求受信手段と、
該総所有価値情報送信要求受信手段における総所有価値情報送信要求の受信に基づいて、該総所有価値情報送信要求に含まれる会員識別情報から特定される会員の前記総所有価値特定手段にて特定された総所有価値の大きさを特定可能な総所有価値情報を、該総所有価値情報送信要求の送信元の情報端末に配信する総所有価値情報配信手段と、
を備えることを特徴とする請求項１〜４のいずれかに記載の会員サービス提供システム。
【請求項６】
前記場外管理装置は、
前記イベントとして、当該イベントに参加する会員を対象として抽選を行い、当選した会員に対して所定の特典を付与する抽選イベントを提供し、
前記総所有価値特定手段にて特定された各会員の総所有価値の大きさと、前記抽選イベントへの参加に必要な価値の大きさとに基づいて、各会員が抽選イベントへの参加に参加可能な参加口数を特定する参加口数特定手段と、
該抽選イベントに参加する各会員に対して、前記参加口数特定手段にて特定された該会員の参加口数に応じた数の抽選対象値を設定する抽選対象値設定手段と、
該設定された抽選対象値から１または複数の抽選対象値を抽出し、該抽出した抽選対象値に対応する会員を当選者と決定する抽選を実施する抽選手段と、
を備えることを特徴とする請求項１〜５のいずれかに記載の会員サービス提供システム。
【請求項７】
前記店舗が遊技場であるとともに、前記店舗内装置が前記遊技場内に設置された遊技機に対応して設置される遊技用装置を少なくとも含むことを特徴とする請求項１〜６のいずれかに記載の会員サービス提供システム。
【発明の詳細な説明】
【技術分野】
【０００１】
本発明は、会員に対して付与されるポイント等の付与価値を使用して会員に特典を付与する会員サービス提供システムに関する。
【背景技術】
【０００２】
従来においては、ポイント管理会社にて、各会員に付与された付与価値であるポイントを、各会員の会員識別情報となる会員ＩＤに対応付けて管理し、該管理している各会員が所有するポイント数から所定のポイント数を使用して、各会員が所定のサービス、例えば店舗である遊技場における無制限サービス券や各種商品を取得できるポイント管理システムがある（例えば、特許文献１参照）。
【０００３】
【特許文献１】特開２００３−１９０６１０号公報（第２３〜２４頁、第３２図）
【発明の開示】
【発明が解決しようとする課題】
【０００４】
しかしながら、特許文献１にあっては、会員がポイント数を所定のサービスを取得するために使用する場合には、これら各サービスに対応する所定数のポイント、例えば１０ポイントが必要となり、このポイント数に所有するポイント数が満たない会員は、所望のサービスを取得できないが、近年にあっては、会員は１つの遊技場のみではなく、複数の店舗において会員となることで複数の店舗の会員カードを所持しており、これら複数の各店舗において、当該会員が所望するサービスに対応するポイント数には単独では満たないが、各店舗のポイント数を合計すれば、所望するサービスが得られる場合であっても、該会員は所望するサービスを取得することができず、会員にとって不便であるという問題があった。
【０００５】
本発明は、このような問題点に着目してなされたもので、会員が複数の店舗において会員となっている場合において、会員となっている複数の店舗におけるポイント数等の価値を合算した価値を使用して所望するサービスを会員が取得でき、会員の利便性を向上することのできる会員サービス提供システムを提供することを目的とする。
【課題を解決するための手段】
【０００６】
上記課題を解決するために、本発明の請求項１に記載の会員サービス提供システムは、
各店舗において会員登録した会員に対して付与される価値を使用して、当該会員に対してイベントへの参加および／または特典の付与を提供するための会員サービス提供システムであって、
各店舗において個別に各会員に対して付与された情報であって各会員を個々に識別可能な会員識別情報が記録され、該会員が会員登録した店舗においてのみ使用可能とされた会員用記録媒体を受付けて、該会員用記録媒体に記録されている前記会員識別情報を読み出す読み出し手段と、
該読み出し手段にて会員識別情報が読み出されることを条件として発生する前記価値の付与対象となる価値付与対象情報と、該読み出された会員識別情報とを送信する価値付与対象情報送信手段と、
を備え、店舗内に設置された店舗用装置と、
複数の各店舗に設置された前記店舗用装置とデータ通信可能に接続され、
各会員が会員となっている各店舗の会員識別情報に対応付けて当該会員が所有する価値の大きさを記憶するための会員所有価値記憶手段と、
前記価値付与対象情報の受信に基づいて、該価値付与対象情報とともに受信した会員識別情報に対応付けて前記会員所有価値記憶手段に記憶されている価値の大きさに、該価値付与対象情報に応じた価値の大きさを加算更新することで付与する価値付与手段と、
各会員が会員となっている各店舗の会員識別情報に対応付けて当該会員の会員属性情報を記憶する会員属性情報記憶手段と、
を備え、店舗外に設置された場外管理装置と、
から成り、
前記場外管理装置は、
前記店舗用装置から取得した該店舗用装置が設置されている店舗の会員の会員識別情報に対応付けて前記会員属性情報記憶手段に記憶されている会員属性情報を特定するとともに、該特定した会員属性情報と同一の会員属性情報に対応付けて前記会員属性情報記憶手段に記憶されている他の会員識別情報を全て特定することにより、当該会員が会員登録している他店舗の会員識別情報を全て特定する会員識別情報特定手段と、
前記店舗用装置から取得した会員属性情報と前記会員識別情報特定手段にて特定した他店舗の会員識別情報に対応付けて前記前記会員所有価値記憶手段に記憶されている価値の大きさを合算することにより、当該会員が会員となっている各店舗において所有する価値の大きさの合計である総所有価値の大きさを特定する総所有価値特定手段と、
前記総所有価値特定手段にて特定された該会員の総所有価値の大きさが前記イベントへの参加に必要な価値の大きさ以上であることを条件に、該会員をイベントへ参加させるための処理を行うイベント参加処理手段、および／または前記総所有価値特定手段にて特定された該会員の総所有価値の大きさが特典の付与に必要な価値の大きさ以上であることを条件に、該会員に特典を付与するための処理を行う特典付与処理手段と、
前記イベント参加処理手段におけるイベントへの参加および／または前記特典付与処理手段における特典の付与がなされた会員の会員識別情報に対応付けて前記会員所有価値記憶手段に記憶されている価値の大きさから、当該会員のイベントへの参加および／または当該会員への特典の付与に消費される消費価値の大きさを減算更新する所有価値減算手段と、
を備えることを特徴減算更新する所有価値減算手段と、
を備えることを特徴としている。
この特徴によれば、同一の会員が会員となっている各店舗における価値の大きさが、総所有価値の大きさとして特定され、該特定された総所有価値の大きさがイベントへの参加に必要な価値の大きさ以上であることを条件に会員をイベントへ参加させるための処理や、該特定された総所有価値の大きさが特典の付与に必要な価値の大きさ以上であることを条件に該会員への特典を付与するための処理が実施されるようになるため、会員は、会員となっている複数の店舗における価値を合算した総所有価値の大きさを使用して所望するイベントへの参加および／または特典の付与を受けられ、会員の利便性を向上することができる。
【０００７】
本発明の請求項２に記載の会員サービス提供システムは、請求項１に記載の会員サービス提供システムであって、
前記会員所有価値記憶手段は、各会員が会員となっている各店舗の会員識別情報毎に当該会員が該店舗において所有する価値の大きさを記憶し、
前記店舗用装置は、
前記読み出し手段にて読み出した会員識別情報と、当該会員識別情報から特定される会員が会員となっている各店舗での価値の大きさの送信を要求する旨とを含む所有価値情報送信要求を前記場外管理装置に送信する所有価値情報送信要求送信手段を備え、
前記場外管理装置は、
前記所有価値情報送信要求の受信に基づいて、該所有価値情報送信要求に含まれる会員識別情報と、該会員識別情報から前記会員識別情報特定手段により特定される当該会員が会員となっている他店舗における会員識別情報と、に対応付けて前記会員所有価値記憶手段に記憶されている各店舗毎の価値の大きさを特定する店舗別所有価値特定手段と、
該店舗別所有価値特定手段にて特定された各店舗毎の価値の大きさを特定可能な所有価値情報を、前記所有価値情報送信要求の送信元の店舗用装置に送信する所有価値情報送信手段と、
前記店舗用装置は、
前記所有価値情報の受信に基づいて、該受信した所有価値情報から特定される各店舗における価値の大きさを表示する所有価値情報表示手段と、
該所有価値情報表示手段にて表示された各店舗毎における価値の大きさの内、いずれの店舗の価値の大きさから前記消費価値の大きさを消費するかを受付ける消費店舗受付手段と、
該消費店舗受付手段にて受付けた前記消費価値の大きさを消費する店舗を特定可能な情報と、前記読み出し手段にて読み出した会員識別情報とを含む消費情報を送信する消費情報送信手段と、
を備え、
前記所有価値減算手段は、受信した前記消費情報に含まれる会員識別情報から特定される会員が会員となっている店舗の内、前記消費価値の大きさを消費する店舗を該消費情報に含まれる店舗を特定可能な情報により特定し、当該特定した店舗における当該会員の会員識別情報に対応付けて前記会員所有価値記憶手段に記憶されている価値の大きさから、前記消費価値の大きさを減算更新することを特徴としている。
この特徴によれば、会員は、どの店舗における価値の大きさから消費価値を消費するかを、店舗用装置において指定することができ、会員の利便性を向上できる。
【０００８】
本発明の請求項３に記載の会員サービス提供システムは、請求項１または２に記載の会員サービス提供システムであって、
前記店舗用装置は、前記読み出し手段にて読み出した会員識別情報と、前記総所有価値特定手段にて特定された総所有価値の大きさの送信を要求する旨とを含む総所有価値情報送信要求を送信する総所有価値情報送信要求送信手段を備え、
前記場外管理装置は、前記総所有価値情報送信要求の受信に基づいて、該総所有価値情報送信要求に含まれる会員識別情報から特定される会員の前記総所有価値特定手段にて特定された総所有価値の大きさを特定可能な総所有価値情報を、該総所有価値情報送信要求の送信元の店舗用装置に送信する総所有価値情報送信手段を備え、
前記店舗用装置は、前記総所有価値情報の受信に基づいて、該総所有価値情報から特定される総所有価値の大きさを表示する総所有価値表示手段を備えることを特徴としている。
この特徴によれば、会員が会員となっている各店舗にて所有する価値の大きさの合計である総所有価値の大きさが、店舗用端末に表示されるようになるので、会員は、自分の総所有価値の大きさを容易に確認できる。
【０００９】
本発明の請求項４に記載の会員サービス提供システムは、請求項１〜３のいずれかに記載の会員サービス提供システムであって、
前記会員所有価値記憶手段は、各会員が会員となっている各店舗の会員識別情報毎に当該会員が該店舗において所有する価値の大きさを記憶し、
前記場外管理装置は、
会員が操作可能な情報端末から当該会員の会員識別情報と、当該会員が会員となっている各店舗での価値の大きさの送信を要求する旨とを含む所有価値情報送信要求を受信するための所有価値情報送信要求受信手段と、
前記所有価値情報送信要求受信手段における所有価値情報送信要求の受信に基づいて、該所有価値情報送信要求に含まれる会員識別情報と、該会員識別情報から前記会員識別情報特定手段により特定される当該会員が会員となっている他店舗における会員識別情報と、に対応付けて前記会員所有価値記憶手段に記憶されている各店舗毎の価値の大きさを特定する店舗別所有価値特定手段と、
該店舗別所有価値特定手段にて特定された各店舗毎の価値の大きさを特定可能な所有価値情報を、前記所有価値情報送信要求の送信元の情報端末に配信する所有価値情報配信手段と、
該所有価値情報の配信に基づいて前記情報端末において表示される各店舗における価値の大きさの内、いずれの店舗の価値の大きさから前記消費価値の大きさを消費するかが該情報端末にて受付けられることに基づいて、該受付けられた前記消費価値の大きさを消費する店舗を特定可能な情報を含む消費情報を、該情報端末から受信する消費情報受信手段と、
を備え、
前記所有価値減算手段は、前記所有価値情報送信要求受信手段にて受信した所有価値情報送信要求に含まれる会員識別情報から特定される会員が会員となっている店舗の内、前記消費価値の大きさを消費する店舗を前記消費情報受信手段にて受信した消費情報に含まれる店舗を特定可能な情報により特定し、当該特定した店舗における当該会員の会員識別情報に対応付けて前記会員所有価値記憶手段に記憶されている価値の大きさから、前記消費価値の大きさを減算更新することを特徴としている。
この特徴によれば、会員は、どの店舗における価値の大きさから消費価値を消費するかを指定することが、店舗に出向くことなく、会員自身が操作可能な情報端末において実施でき、会員の利便性を向上できる。
【００１０】
本発明の請求項５に記載の会員サービス提供システムは、請求項１〜４のいずれかに記載の会員サービス提供システムであって、
前記場外管理装置は、
会員が操作可能な情報端末から当該会員の会員識別情報と、前記総所有価値特定手段にて特定された総所有価値の大きさの送信を要求する旨とを含む総所有価値情報送信要求を受信する総所有価値情報送信要求受信手段と、
該総所有価値情報送信要求受信手段における総所有価値情報送信要求の受信に基づいて、該総所有価値情報送信要求に含まれる会員識別情報から特定される会員の前記総所有価値特定手段にて特定された総所有価値の大きさを特定可能な総所有価値情報を、該総所有価値情報送信要求の送信元の情報端末に配信する総所有価値情報配信手段と、
を備えることを特徴としている。
この特徴によれば、会員が会員となっている各店舗にて所有する価値の大きさの合計である総所有価値の大きさが、会員自身が操作可能な情報端末において表示されるようになるので、会員は、店舗に出向くことなく自分の総所有価値の大きさを容易に確認できる。
【００１１】
本発明の請求項６に記載の会員サービス提供システムは、請求項１〜５のいずれかに記載の会員サービス提供システムであって、
前記場外管理装置は、
前記イベントとして、当該イベントに参加する会員を対象として抽選を行い、当選した会員に対して所定の特典を付与する抽選イベントを提供し、
前記総所有価値特定手段にて特定された各会員の総所有価値の大きさと、前記抽選イベントへの参加に必要な価値の大きさとに基づいて、各会員が抽選イベントへの参加に参加可能な参加口数を特定する参加口数特定手段と、
該抽選イベントに参加する各会員に対して、前記参加口数特定手段にて特定された該会員の参加口数に応じた数の抽選対象値を設定する抽選対象値設定手段と、
該設定された抽選対象値から１または複数の抽選対象値を抽出し、該抽出した抽選対象値に対応する会員を当選者と決定する抽選を実施する抽選手段と、
を備えることを特徴としている。
この特徴によれば、各会員への特典の付与に際して、特典が付与される会員の抽選が実施されるようになるので、当選するか否かの楽しみを、会員に提供することができる。
【００１２】
本発明の請求項７に記載の会員サービス提供システムは、請求項１〜６のいずれかに記載の会員サービス提供システムであって、
前記店舗が遊技場であるとともに、前記店舗内装置が前記遊技場内に設置された遊技機に対応して設置される遊技用装置を少なくとも含むことを特徴としている。
この特徴によれば、会員遊技者は、遊技機に対応して設けられている遊技用装置にて、どの遊技場の価値の大きさから前記消費価値の大きさを消費するかの指定や、総所有価値の大きさの確認を、遊技中においても実施することができる。
【発明を実施するための最良の形態】
【００１３】
本発明の実施例を以下に説明する。尚、以下の実施例では、本発明の会員サービス提供システムを店舗としての複数の遊技場に適用できるように特化させた遊技用システムとした例について説明するが、本発明はこれに限定されるものではなく、後述するように、これら遊技場以外の店舗においても、本発明の会員サービス提供システムを適用できることは言うまでもない。
【実施例】
【００１４】
本実施例の遊技用システムは、図１に示すように、店舗である各遊技場ににおいて複数配置された遊技島に並設される遊技機としてのパチンコ機２に対して１対１に設置される本発明における店舗用装置を成すカードユニット３や、これら各遊技場に設置され、当該遊技場において会員登録した会員遊技者に関する情報を収集、管理する本発明における店舗用装置を成す会員管理コンピュータ１２０と、これら各遊技場に設置された会員管理コンピュータ１２０に通信回線１１並びにルータ５を通じて双方向にデータ通信可能に接続され、各遊技場の会員管理コンピュータ１２０から送信される後述するポイント付与を実施するための本発明における価値付与対象情報となる会員別使用度数情報の受信に基づいて、各遊技場別に会員遊技者の属性情報や、会員別使用度数情報に基づいて各会員遊技者に付与されたポイントを集中管理する、カード管理会社に設置された本発明における遊技場外管理装置を成す管理サーバ１４０と、から主に構成されている。
【００１５】
また、各遊技場に設置されている店舗用装置を成す会員管理コンピュータ１２０には、図１に示すように、前記カードユニット３に加えて、当該カードユニット３にて使用される会員用記録媒体である会員カード、並びにプリペイドカードであるビジターカードに記録されている遊技用価値である度数の管理等を行うシステムコントローラ１００が、通信ケーブル８を介して接続されており、これら遊技場内に設置されたカードユニット３、会員管理コンピュータ１２０、システムコントローラ１００とは、通信ケーブル８を介して双方向のデータ通信可能に接続され、これら各接続装置にはそれぞれローカルＩＰアドレスが付与されてローカルエリアネットワーク（ＬＡＮ）が形成されていて、該ローカルエリアネットワーク（ＬＡＮ）に接続されている各装置には、当該装置を個々に識別可能な装置ＩＤが付与されており、各装置が装置ＩＤとローカルＩＰアドレスとが対応付けられたＩＰアドレステーブルを有することで、装置ＩＤからローカルＩＰアドレスを特定して、当該装置ＩＤの装置との送受信を実施できるようになっている。
【００１６】
また、各遊技場に設置されている該システムコントローラ１００も、ルータ５並びに通信回線１１を通じてカード管理会社に設置されている管理サーバ１４０に接続されており、該管理サーバ１４０において、各遊技場にて使用される会員カードやビジターカードに残存する度数等のカードに関する情報が管理されている。
【００１７】
また、カード管理会社には前記管理サーバ１４０とともに、該管理サーバ１４０に接続された本発明における遊技場外管理装置を成すサイトサーバ１４が設置されていて、当該サイトサーバ１４はインターネット網に接続されていることで、該インターネット網への接続機能を有する会員遊技者が操作可能な情報端末であるノートパソコン１５や携帯電話１６からアクセス可能とされている。
【００１８】
この本実施例に用いた会員カードについて説明すると、これら会員カードは略長方形のカード型に形成され、カードユニット３の後述するカードリーダライタ３２７と各種のデータ送受を電磁波により非接触にて実施可能とされた非接触ＩＣカードとされており、その内部に搭載されている図示しない集積回路の内部メモリには、会員登録することにより該会員カードの発行を受けた会員遊技者を個々に識別可能とするために固有に付与された会員識別情報である会員ＩＤや、当該遊技場を特定可能とするために個々の遊技場に固有に付与された遊技場ＩＤとが書き換え不可に記録されているとともに、遊技に使用可能な遊技用価値情報としての度数｛本実施例では金額を１００で除算した値（１００円＝１度数）｝等の情報が書き換え可能に記録されている。
【００１９】
次いで、本発明における店舗用装置である遊技用装置としての本実施例のカードユニット３について説明すると、この本実施例のカードユニット３の前面には、図２に示すように、各種表示部と紙幣挿入口３０２、硬貨投入口３０３、硬貨返却ボタン３０４、突出部３０５、硬貨返却口３０８、会員カード挿入口３０９、ビジターカード装着口３１０が設けられている。
【００２０】
カードユニット３の前面に設けられた会員カード挿入口３０９とビジターカード装着口３１０とは、遊技者から見て左右方向に並設配置されている。会員カード挿入口３０９は、内蔵される本発明における読み出し手段としてのカードリーダライタ３２７（図３参照）の会員カードスロット（図示略）に連設されており、この会員カード挿入口３０９を介して会員カードを会員カードスロットに挿入可能とされている。また、ビジターカード装着口３１０は、カードリーダライタ３２７のビジターカード収容室（図示略）に連設されており、このビジターカード装着口３１０を介してビジターカードをビジターカード収容室に装着可能とされている。
【００２１】
カードユニット３の前面には、前方に突出する態様にて突出部３０５が設けられている。突出部３０５において、遊技者側に向けられた面には、本発明における所有価値情報表示手段並びに総所有価値表示手段を成す表示部３１２と、メインメニュー画面を表示させるためのメニュースイッチ３１６と、データ画面（図示略）を表示させるためのデータスイッチ３１８と、遊技者が後述する貯蓄玉数を用いた再プレイ遊技を実施するための再プレイスイッチ３１９と、再プレイスイッチ３１９の操作が有効であることを報知するための再プレイ表示部３２０とが設けられている。
【００２２】
図３は、カードユニット３の構成を示すブロック図である。カードユニット３は、カードリーダライタ３２７と、表示制御基板３２９と、制御ユニット３２８と、から主に構成されており、カードリーダライタ３２７及び表示制御基板３２９は、制御ユニット３２８と接続され、各種データの送受が可能とされている。
【００２３】
カードリーダライタ３２７は、会員カードやビジターカードに記録されている会員識別情報である会員ＩＤや入金ＩＤや度数等の記録情報の読み出し並びに書き込みを行うとともに、ＨＵＢ８’を介してシステムコントローラ１００とデータ通信可能に接続されており、挿入された会員カードに記録されている会員ＩＤ並びに度数に基づく認証や当該度数の確認等をシステムコントローラ１００との間で行う。
【００２４】
表示制御基板３２９には、前述した表示部３１２を構成する液晶表示器３１３、タッチパネル３１４、各種スイッチ類（メニュースイッチ３１６ａ、データスイッチ３１８ａ、再プレイスイッチ３１９ａ）や前述した再プレイ表示部３２０内に設けられた再プレイＬＥＤ３２０ａ等の電子部品が接続されている。
【００２５】
表示制御基板３２９に接続されている電子部品のうちタッチパネル３１４、各種スイッチ類（メニュースイッチ３１６ａ、データスイッチ３１８ａ、再プレイスイッチ３１９ａ）は、表示制御基板３２９を介して制御ユニット３２８に接続されており、タッチパネル３１４による位置検出情報や各スイッチの検出信号が制御ユニット３２８に入力される。また、再プレイＬＥＤ３２０ａも、表示制御基板３２９を介して制御ユニット３２８に接続されており、その点灯制御が制御ユニット３２８により行われる。
【００２６】
また、表示制御基板３２９は、液晶表示器３１３の表示駆動を行う表示駆動回路や、前記タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力された各種画面等の表示データを液晶表示器３１３に表示する制御を行う。
【００２７】
制御ユニット３２８には、表示制御基板３２９を介して接続されたスイッチや表示器等の電子部品に加えて、紙幣識別ユニット３２１、硬貨識別ユニット３２２が接続されている。
【００２８】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００２９】
また、制御ユニット３２８には、特に図示しないが、接続されたパチンコ機２に設けられ、パチンコ玉の貸出に使用できる度数（遊技用価値）を表示する度数表示器や、パチンコ玉の貸出を行う際に操作される貸出ボタンの操作を検知する貸出スイッチ、受付け中の会員カードを返却させる際に操作される返却ボタンの操作を検知する返却スイッチが接続されている。
【００３０】
また、制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示コントローラ３２９の制御等、全体の動作制御、並びに遊技使用処理としての後述する貸出処理や、再使用処理としての払戻処理等の各種処理を実行する。
【００３１】
また、制御ユニット３２８は、本発明の送信手段を成す通信部３３４並びにＨＵＢ８’を介して会員管理コンピュータ１２０とデータ通信可能に接続されており、各種データの送受が可能とされている。また、対応するパチンコ機２と接続されており、各種信号の送受が実施可能とされている。
【００３２】
この本実施例のカードユニット３において実施される各処理内容について説明すると、まず、カードユニット３の制御ユニット３２８は、会員カード挿入口３０９に挿入された会員カードに対して利用の可／不可を判別する受付処理を行う。
【００３３】
また、制御ユニット３２８は、該受付処理において受付けられた会員カードより読み出された度数が残存する場合であって、パチンコ機２に備えられる貸出ボタンの操作が検出された場合に、対応するパチンコ機２に対して所定度数に対応する数のパチンコ玉の貸出要求を出力してパチンコ玉の貸出を実施させるとともに、該所定度数を減算更新する貸出処理を行う。
【００３４】
また、制御ユニット３２８は、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付中の会員カードに残存する度数（本実施例では「０」）に加算する追加入金処理を行う。
【００３５】
また、制御ユニット３２８は、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１０に装着されているビジターカードに記録した後、この記録した度数の全てを使用して、対応するパチンコ機２に対して貸出要求を出力し、パチンコ玉の貸出を実施させる発行貸出処理を行う。
【００３６】
また、制御ユニット３２８は、会員遊技者が以前の遊技にて貯蓄した貯蓄玉数を、会員管理コンピュータ１２０から入手し、この入手した貯蓄玉数を使用して、対応するパチンコ機２に対して該入手した貯蓄玉数から特定される再プレイ回数の内、１回の再プレイに対応する数のパチンコ球の払出を要求する払戻要求を出力し、所定数のパチンコ玉の払い戻しを実施させる払戻処理を行う。
【００３７】
また、制御ユニット３２８は、カードユニット３と１対１に並設されたパチンコ機２が備える返却ボタンが遊技者により操作された場合に、受付け中の会員カードの返却を実施させる返却処理を行う。
【００３８】
また、制御ユニット３２８は、前記カードリーダライタ３２７にて会員カードから会員ＩＤが読み出されることを条件として発生するポイントの付与対象となる当該会員の当日の来店の有無を特定可能な会員カード受付け通知を会員管理コンピュータ１２０に対して送信する会員カード受付け通知送信処理を実施する。
【００３９】
また、制御ユニット３２８は、該会員カード受付け通知送信処理にて送信される会員カード受付け通知の受信に基づいて、会員管理コンピュータ１２０から管理サーバ１４０に対して送信される後述する総所有ポイント数情報送信要求に応じて管理サーバ１４０から会員管理コンピュータ１２０を介して送信されてくる本発明における総所有価値情報となる総所有ポイント数情報の受信に基づいて、該受信した総所有ポイント数情報に含まれる総所有ポイント数と参加口数とを含む図１１（ａ）に示す抽選参加受付け画面を、表示部３１２に表示する抽選参加受付け画面表示処理を実施し、該抽選参加受付け画面表示処理によって本発明における総所有価値表示手段が形成されている。
【００４０】
また、制御ユニット３２８は、前記カードリーダライタ３２７にて会員カードから会員ＩＤが読み出されることを条件として発生するポイントの付与対象となる当該会員の当日において遊技に使用した使用度数を特定可能とするための、会員カードが当該カードユニット３に挿入されてから該会員カードが返却されるまでに遊技に使用された度数の合計である使用度数を含む会員カード返却通知を会員管理コンピュータ１２０に対して送信する会員カード返却通知送信処理を実施する。
【００４１】
また、制御ユニット３２８は、後述する抽選参加受付け画面における抽選参加受付けに（「参加する」の受付け）基づいて、当該カードユニット３の装置ＩＤと受付け中の会員カードの会員ＩＤと当該会員ＩＤの会員遊技者が会員となっている各遊技場のポイント数の送信を要求する旨とを含む遊技場別ポイント数情報送信要求を送信する遊技場別ポイント数情報送信要求送信処理を実施し、該遊技場別ポイント数情報送信要求送信処理によって本発明における所有価値情報送信要求送信手段が形成されている。
【００４２】
また、制御ユニット３２８は、前記遊技場別ポイント数情報送信要求の送信に基づいて管理サーバ１４０から返信されてくる、受付け中の会員カードの会員ＩＤから特定される会員遊技者が会員となっている各遊技場の遊技場名と当該遊技場にて所有している所有ポイント数の情報を含む後述する遊技場別ポイント数情報の受信に基づいて、該遊技場別ポイント数情報に含まれる遊技場名と該遊技場において所有する所有ポイント数を含む、図１１（ｂ）に示す消費ポイント内訳受付画面を前記表示部３１２に表示する消費ポイント内訳受付画面表示処理を実施し、該消費ポイント内訳受付画面表示処理によって本発明における所有価値情報表示手段が形成されている。
【００４３】
また、制御ユニット３２８は、前記消費ポイント内訳受付画面表示処理によって表示された消費ポイント内訳受付画面において、該消費ポイント内訳受付画面に表示された各遊技場毎におけるポイント数の内、いずれの遊技場のポイント数から何ポイントを後述する抽選への参加に消費するかを受付ける消費ポイント内訳受付処理を実施し、該消費ポイント内訳受付処理によって本発明における消費店舗受付手段が形成されている。
【００４４】
また、制御ユニット３２８は、該消費ポイント内訳受付処理において所有ポイントを消費する遊技場を特定可能な情報としての当該遊技場の遊技場名と、受付けた各遊技場の所有ポイントから消費する消費ポイント数と、抽選への参加口数とを含む消費情報を、会員管理コンピュータ１２０を介して管理サーバ１４０に対して送信する消費情報送信処理を実施し、該消費情報送信処理によって本発明における消費情報送信手段が形成されている。
【００４５】
次に、本実施例に用いた本発明における店舗用装置を成す会員管理コンピュータ１２０について説明すると、本実施例の会員管理コンピュータ１２０は、図４に示すように、コンピュータ内部にてデータの送受を行うデータバス１２１に、該会員管理コンピュータ１２０が実施する各種処理等を行うＣＰＵ１２２、処理時の一時記憶領域等として使用されるＲＡＭ１２３、現在の時刻情報やカレンダ情報を出力するリアルタイムクロック（ＲＴＣ）１２４、磁気ディスクや光磁気ディスクから成る記憶装置１２５、キーボードやマウス等の前記会員属性情報入力手段となる入力装置１２６、各種情報を表示出力する表示装置１２７、各種情報をプリント出力するプリンタ１２８、カードユニット３やシステムコントローラ１００や管理サーバ１４０とのデータ通信を行うための通信部１２９が接続された通常のコンピュータである。
【００４６】
また、記憶装置１２５には、会員管理コンピュータ１２０の処理を実施するための処理プログラムに加えて、各会員遊技者に関する会員関連情報が登録（記憶）される会員情報テーブル（図５参照）や、各会員遊技者の遊技によりパチンコ機２にて発生した当該会員遊技者の遊技履歴情報とな収支等を含む遊技履歴が記憶される図示しない会員別遊技履歴テーブル等が記憶されている。
【００４７】
この本実施例の会員情報テーブルには、図５に示すように、各会員遊技者を個々に識別可能とするために、各会員遊技者に当該遊技場にて固有に付与された会員識別情報である会員ＩＤに対応付けて、遊技に再使用可能な貯蓄玉数、本人確認に使用される暗証番号、来店回数と、会員の氏名（名字並びに名前）、性別、年齢、誕生日、職業、住所、電子メールアドレスからなる会員属性情報が登録されている。
【００４８】
また、本実施例の会員管理コンピュータ１２０のＣＰＵ１２２は、カードユニット３における再プレイ操作により該カードユニット３から送信される貯玉抽出要求の受信に基づいて、当該貯玉抽出要求に含まれる暗証番号を当該貯玉抽出要求に含まれる会員ＩＤに対応して前記会員情報テーブルに記憶されている暗証番号と照合し、当該照合が一致した場合において、前記会員別遊技履歴テーブルに当該会員ＩＤに対応付けて記憶されている貯蓄玉数をカードユニット３に返信することで該貯蓄玉数の遊技への再使用を許諾する貯蓄玉数使用許諾処理を実施するとともに、該貯蓄玉数の遊技への再使用に供された貯蓄玉数の大きさを該貯蓄玉数の大きさから減算更新する。
【００４９】
また、本実施例の会員管理コンピュータ１２０のＣＰＵ１２２は、カードユニット３に新たに会員カードが受付けられたことにより該カードユニット３から送信される会員カード受付け通知の受信に基づき、該受信した会員カード受付け通知に含まれる会員ＩＤに対応する本日来店の項目の記憶データ（フラグ）が未来店を示す「０」である場合に、該記憶データ（フラグ）を来店を示す「１」に更新するとともに、来店回数に１を加算更新する更新処理を実施する。
【００５０】
また、本実施例の会員管理コンピュータ１２０のＣＰＵ１２２は、カードユニット３において会員カードの返却操作が実施されることにより該カードユニット３から送信される会員カード返却通知の受信に基づき、受信した会員カード返却通知に含まれる会員ＩＤに対応する本日総使用度数に記憶されている度数に、受信した会員カード返却通知に含まれる当該会員カードの受付け中において遊技に使用された使用度数を加算更新する更新処理を実施する。
【００５１】
また、本実施例の会員管理コンピュータ１２０のＣＰＵ１２２は、カードユニット３に新たに会員カードが受付けられたことにより該カードユニット３から送信される会員カード受付け通知の受信に基づき、該受信した会員カード受付け通知に含まれる会員ＩＤと、当該カードユニット３の装置ＩＤと当該遊技場の遊技場ＩＤと該会員ＩＤの会員遊技者が所有する総所有ポイント数の送信を要求する旨とを含む総所有ポイント数情報送信要求を管理サーバ１４０に送信する総所有ポイント数情報送信要求送信処理を実施し、該総所有ポイント数情報送信要求送信処理によって本発明における総所有価値情報送信要求送信手段が形成されている。
【００５２】
また、本実施例の会員管理コンピュータ１２０のＣＰＵ１２２は、該総所有ポイント数情報送信要求送信処理において送信された総所有ポイント数情報送信要求の受信に応じて管理サーバ１４０から送信される後述する総所有ポイント数情報を、該総所有ポイント数情報に含まれる装置ＩＤから特定されるカードユニット３に中継する中継処理を実施する。
【００５３】
また、本実施例の会員管理コンピュータ１２０のＣＰＵ１２２は、前記カードユニット３の制御ユニット３２８における前述の遊技場別ポイント数情報送信要求送信処理にて送信される遊技場別ポイント数情報送信要求の受信に基づいて、該受信した遊技場別ポイント数情報送信要求に当該遊技場の遊技場ＩＤを付加して管理サーバ１４０に送信（中継）する中継処理を実施する。
【００５４】
また、本実施例の会員管理コンピュータ１２０のＣＰＵ１２２は、前記中継した遊技場別ポイント数情報送信要求の受信に応じて管理サーバ１４０から送信されてくる遊技場別ポイント数情報を、該遊技場別ポイント数情報に含まれる装置ＩＤから特定されるカードユニット３に中継する中継処理を実施する。
【００５５】
また、本実施例の会員管理コンピュータ１２０のＣＰＵ１２２は、前記カードユニット３の制御ユニット３２８における前述の消費情報送信処理において送信される消費情報の受信に基づいて、該受信した消費情報に当該遊技場の遊技場ＩＤを付加して管理サーバ１４０に送信（中継）する中継処理を実施する。
【００５６】
また、本実施例の会員管理コンピュータ１２０のＣＰＵ１２２は、図９に示すように、新規会員登録や登録内容の変更受付けに基づいて、該受付けた新規会員の属性情報を会員ＩＤに対応付けて前記会員情報テーブルに記憶、または変更を受付けた会員遊技者の会員ＩＤに対応付けて前記会員情報テーブルに記憶されている変更内容に対応する属性情報を更新する会員情報テーブル更新処理を実施するとともに、これら新規会員登録や登録内容の変更を受付けた会員遊技者の会員ＩＤと、遊技場ＩＤと、受付けた会員属性情報とを含む会員登録情報を管理サーバ１４０に対して送信する会員登録情報送信処理を実施する。
【００５７】
また、本実施例の会員管理コンピュータ１２０のＣＰＵ１２２は、図９に示すように、一日に一回、営業終了後の所定時間において、前記会員情報テーブルに記憶、管理している、各会員遊技者の会員ＩＤと本日来店の情報と本日総使用度数の情報とを含む本発明における価値付与対象情報となる会員別使用度数情報を、管理サーバ１４０に対して送信する会員別使用度数情報送信処理を実施し、該会員別使用度数情報送信処理によって本発明における価値付与対象情報送信手段が形成されている。
【００５８】
次いで、本発明における場外管理装置を構成する管理サーバ１４０並びにサイトサーバ１４の構成について説明すると、まず管理サーバ１４０は、図６に示すように、コンピュータ内部にてデータの送受を行うデータバス１４１に、該管理サーバ１４０が実施する各遊技場にて使用される会員カードやビジターカードに残存する度数や使用度数、発行度数や入金度数の管理を行うための処理や、後述する記憶装置１４５に記憶されている各テーブルを更新する処理等の各種処理を行うＣＰＵ１４２、処理時の一時記憶領域等として使用されるＲＡＭ１４３、キーボードやマウス等の入力装置１４４、磁気ディスクや光磁気ディスクから成る記憶装置１４５、各種情報を表示出力する表示装置１４６、通信回線１１を通じて各遊技場に設置されたルータ５を介して、当該遊技場に設置されたシステムコントローラ１００や会員管理コンピュータ１２０等の各装置とのデータ通信を行うためのデジタルサービスユニット（ＤＳＵ）１４８、サイトサーバ１４との双方向のデータ通信を行うための通信部１４９、が接続された処理能力に優れたサーバ用のコンピュータである。
【００５９】
また、記憶装置１４５には、管理サーバ１４０が実施する各種処理内容が記述された処理プログラムに加えて、会員カードやビジターカードに残存する度数や入金額等のデータ等が記憶されるカード管理ＤＢや、図７（ａ）に示す遊技場別会員情報データベースや、図７（ｂ）に示す本発明における会員所有価値記憶手段となる会員別所有ポイント数テーブルや、図７（ｃ）に示す遊技場情報テーブルが記憶されている。
【００６０】
この実施例の遊技場別会員情報データベースには、図７（ａ）に示すように、個々の遊技場（遊技場ＩＤ）毎に、各遊技場において会員登録した会員遊技者の会員ＩＤと、暗証番号と、来店回数と、会員の氏名（名字並びに名前）、性別、年齢、誕生日、職業、住所、電子メールアドレスから成る会員属性情報が記憶されており、これら遊技場別会員情報データベースの記憶データは、前記会員管理コンピュータ１２０から送信される前述の会員登録情報の受信に基づいて更新記憶される。
【００６１】
また、本実施例の会員別所有ポイントテーブルには、図７（ｂ）に示すように、各会員の氏名並びに電子メールアドレスに対応付けて、当該会員遊技者が会員となっている各遊技場の遊技場ＩＤと該遊技場における当該会員遊技者の会員ＩＤとが記憶されているとともに、これら各遊技場の会員ＩＤに対応付けて、当該遊技場に設置されている会員管理コンピュータ１２０から送信される前述の会員別使用度数情報により付与され、当該遊技場において会員遊技者の所有となった所有ポイント数が記憶されているとともに、各遊技場における所有ポイント数の合計である総所有ポイント数が集計されて記憶されていおり、該会員別所有ポイントテーブルによって本発明における会員所有価値記憶手段が形成されている。
【００６２】
また、本実施例の遊技場情報テーブルには、図７（ｃ）に示すように、各遊技場の遊技場ＩＤに対応付けて、当該遊技場において会員遊技者に発行される会員カードに記録された会員ＩＤの範囲である対応会員ＩＤと、当該遊技場の遊技場名や、所在地、並びに前記ＤＳＵ１４８並びに通信回線１１を通じて各遊技場に設置されたシステムコントローラ１００や会員管理コンピュータ１２０との通信接続を実施するための接続用情報である回線番号が記憶されている。
【００６３】
この本実施例の管理サーバ１４０のＣＰＵ１４２は、会員管理コンピュータ１２０における前述の会員登録情報送信処理にて送信される会員登録情報の受信に基づいて、前記遊技場別会員情報データベースにおいて当該受信した会員登録情報に含まれる遊技場ＩＤから特定される遊技場の記憶データに、当該受信した会員登録情報に含まれる会員ＩＤと会員属性情報とを対応付けて記憶（登録）する会員関連情報記憶処理を実施する。（図９参照）
【００６４】
また、本実施例の管理サーバ１４０のＣＰＵ１４２は、該会員登録情報の受信による前記会員関連情報記憶処理の実施、具体的には会員ＩＤの新規登録に基づいて、該新規登録された会員ＩＤに対応付けて新たに記憶（登録）された会員属性情報である氏名と電子メールと、同一の氏名と電子メールとが会員別所有ポイント数テーブルに記憶されている場合には、該氏名と電子メールアドレスに対応付けて新規登録した会員ＩＤと該会員ＩＤとともに受信した会員登録情報に含まれる遊技場ＩＤとを記憶（登録）して会員別所有ポイント数テーブルを更新する会員別所有ポイント数テーブル更新処理を実施する。
【００６５】
また、本実施例の管理サーバ１４０のＣＰＵ１４２は、会員管理コンピュータ１２０における前記会員別使用度数情報送信処理にて送信される会員別使用度数情報の受信に基づいて、当該会員別使用度数情報に含まれる各会員ＩＤと本日来店の情報並びに使用度数の情報に応じて新たに付与するポイント数、例えば本日来店の情報により本日来店した場合には１ポイントを、使用度数に関しては使用度数１０度数毎に１ポイントを付与するものとして、使用度数が５０度数であれば５ポイントを決定し、該決定したポイント数を、当該会員ＩＤ並びに該会員別使用度数情報に含まれる遊技場ＩＤとに対応付けて前記会員別所有ポイントテーブルに記憶されている所有ポイント数に加算更新するポイント付与処理を実施し、該ポイント付与処理によって本発明における価値付与手段が形成されている。（図９参照）
【００６６】
また、本実施例の管理サーバ１４０のＣＰＵ１４２は、前記カードユニット３から送信される会員カード受付け通知の受信に基づいて、会員管理コンピュータ１２０にて実施される前述の総所有ポイント数情報送信要求送信処理にて送信される総所有ポイント数情報送信要求の受信に基づいて、該受信した総所有ポイント数情報送信要求に含まれている遊技場ＩＤと会員ＩＤとに対応付けて前記会員情報データベースに記憶されている氏名と電子メールアドレスとを特定し、前記会員別所有ポイント数テーブルにおいて、該特定した会員の氏名並びに電子メールアドレスに対応付けて記憶されている各会員ＩＤに対応するポイント数を合計して総所有ポイント数の項目に更新記憶し、該更新記憶した総所有ポイント数に基づいて、該合計したポイント数を、複数の遊技場に会員登録している同一の会員が、会員となっている各店舗において所有するポイント数の合計である総所有ポイント数を特定する総所有ポイント数特定処理を実施し、該総所有ポイント数特定処理によって本発明における総所有価値特定手段が形成されている。
【００６７】
さらに、本実施例の管理サーバ１４０のＣＰＵ１４２は、前記総所有ポイント数情報送信要求の受信に基づいて、前記総所有ポイント数特定処理にて特定された当該会員遊技者の総所有ポイント数が、図８に示す抽選設定画面において、その時点において参加を受付け中に設定されている抽選イベントへの参加に必要なポイント数以上（本実施例では１０Ｐ以上）であることを条件に、該総所有ポイント数と、前記抽選イベントへの参加に必要なポイント数（本実施例では１０Ｐ）とに基づいて、各会員遊技者が抽選イベントへの参加に参加可能な参加口数を特定する参加口数特定処理を実施し、該特定した参加可能口数と前記特定した総所有ポイント数と、受信した総所有ポイント数情報送信要求に含まれる装置ＩＤと含む総所有ポイント数情報を、受信した総所有ポイント数情報送信要求の送信元の会員管理コンピュータ１２０に対して送信する総所有ポイント数情報送信処理を実施し、前記参加口数特定処理によって本発明における参加口数特定手段が形成され、前記総所有ポイント数情報送信処理によって本発明における総所有価値情報送信手段が形成されている。
【００６８】
さらに、本実施例の管理サーバ１４０のＣＰＵ１４２は、前記カードユニット３の制御ユニット３２８において実施される前述の遊技場別ポイント数情報送信要求送信処理によって送信され、会員管理コンピュータ１２０にて中継された前述の遊技場別ポイント数情報送信要求の受信に基づいて、該受信した遊技場別ポイント数情報送信要求に付加されている遊技場ＩＤと、該受信した遊技場別ポイント数情報送信要求に含まれる会員ＩＤに対応付けて前記会員情報データベースに記憶されている氏名と電子メールアドレスとを特定し、該特定した氏名と電子メールアドレスに対応して会員別ポイント数テーブルに各遊技場ＩＤと当該遊技場の会員ＩＤに対応付けて記憶されている所有ポイントから、該会員遊技者が会員となっている各遊技場において所有する所有ポイント数を特定する遊技場別所有ポイント数特定処理を実施し、該遊技場別所有ポイント数特定処理によって本発明における店舗別所有価値特定手段が形成されている。
【００６９】
さらに、本実施例の管理サーバ１４０のＣＰＵ１４２は、前記遊技場別所有ポイント数特定処理によって特定された当該会員遊技者が各遊技場にて所有する所有ポイント数と、当該遊技場の遊技場名（遊技場情報テーブルから特定）が会員となっている遊技場の遊技場名と、受信した遊技場別ポイント数情報送信要求に含まれる装置ＩＤとを含む遊技場別ポイント数情報を、該遊技場別ポイント数情報送信要求を送信してきた会員管理コンピュータ１２０に対して送信する遊技場別ポイント数情報送信処理を実施し、該遊技場別ポイント数情報送信処理によって本発明における所有価値情報送信手段が形成されている。
【００７０】
さらに、本実施例の管理サーバ１４０のＣＰＵ１４２は、前記カードユニット３の制御ユニット３２８における前述の消費情報送信処理において送信され、会員管理コンピュータ１２０にて中継された消費情報の受信に基づいて、該受信した消費情報に付加されている遊技場ＩＤと、該受信した消費情報に含まれる会員ＩＤに対応付けて前記会員情報データベースに記憶されている氏名と電子メールアドレスとを特定し、該特定した氏名と電子メールアドレスに対応して会員別ポイント数テーブルに各遊技場ＩＤと該遊技場の会員ＩＤに対応付けて記憶されている各所有ポイント数の内、受信した消費情報に含まれる遊技場名から特定される遊技場ＩＤ（遊技場情報テーブルにて特定）に対応付けて記憶されている所有ポイント数から、受信した消費情報に含まれる当該会員ＩＤに対応するポイント数（消費ポイント数）を減算更新する所有ポイント数減算処理を実施し、該所有ポイント数減算処理にて本発明における所有価値減算手段が形成されている。
【００７１】
さらに、本実施例の管理サーバ１４０のＣＰＵ１４２は、受信した消費情報に含まれる参加口数に対応する抽選対象値として、該参加口数に対応する数、具体的には２口であれば２つの前記所有ポイント数減算処理にて特定した当該会員遊技者の電子メールアドレスを抽選テーブルに設定する抽選対象値設定処理を実施するとともに、当該抽選イベントに対して前記図８に示す抽選設定画面にて設定されている抽選日時に、このようにして各会員遊技者の電子メールアドレスが設定されている抽選テーブルから、１または複数の電子メールアドレスを抽出し、該抽出した電子メールアドレスに対応する会員を当選者と決定する抽選を実施する抽選処理を実施し、前記抽選対象値設定処理によって本発明における抽選対象値設定手段が形成され、前記抽選処理によって本発明における抽選手段が形成されている。
【００７２】
つまりは、会員遊技者が所有する総所有ポイント数が、その時点において参加を受付け中に設定されている抽選イベントへの参加に必要なポイント数以上（本実施例では１０Ｐ以上）であることを条件に、前述のように、当該会員遊技者を抽選イベントへ参加させるための処理となる、参加口数特定処理、総所有ポイント数情報送信処理、遊技場別所有ポイント数特定処理、遊技場別ポイント数情報送信処理、並びに抽選対象値設定処理が実施され、これら各処理によって本発明におけるイベント参加処理手段が形成されている。
【００７３】
また、本実施例の管理サーバ１４０のＣＰＵ１４２は、後述するログインページにおいて会員遊技者から受付けた会員ＩＤと暗証番号がサイトサーバ１４から送信されてきた際に、当該送信されてきた会員ＩＤに対応する遊技場並びに遊技場ＩＤを、前記遊技場情報テーブルから特定し、前記遊技場別会員情報データベースにおいて該特定した遊技場の記憶データの内、当該送信されてきた会員ＩＤに対応付けて記憶されている暗証番号を特定し、送信されてきた暗証番号との照合を実施する照合処理を行う。
【００７４】
また、本実施例の管理サーバ１４０のＣＰＵ１４２は、前記サイトサーバ１４から送信される後述する抽選参加受付け情報の受信に受信に基づいて、前記照合処理にて用いた遊技場ＩＤと会員ＩＤに対応付けて前記会員情報データベースに記憶されている氏名と電子メールアドレスとを特定し、該特定した氏名と電子メールアドレスに対応して会員別ポイント数テーブルの総所有ポイント数の項目に記憶されている総所有ポイント数、つまりは、前記総所有ポイント数特定処理にて特定される総所有ポイント数と、該特定した総所有ポイント数に基づく受付け期間中の抽選への参加可能口数とを含む総所有ポイント数情報をサイトサーバ１４に対して送信する総所有ポイント数情報送信処理を実施し、該総所有ポイント数情報送信処理によって本発明における総所有価値情報配信手段の一部が形成されている。
【００７５】
また、本実施例の管理サーバ１４０のＣＰＵ１４２は、前記サイトサーバ１４から送信される後述する抽選への「参加」を示す受付け結果の受信に基づいて、前記照合処理にて用いた遊技場ＩＤと会員ＩＤに対応付けて前記会員情報データベースに記憶されている氏名と電子メールアドレスとを特定し、該特定した氏名と電子メールアドレスに対応して会員別ポイント数テーブルに各遊技場ＩＤと当該遊技場の会員ＩＤに対応付けて記憶されている所有ポイントから、該会員遊技者の各遊技場の所有ポイント数を特定する遊技場別所有ポイント数特定処理を実施し、該遊技場別所有ポイント数特定処理によって本発明における店舗別所有価値特定手段が形成されている。
【００７６】
また、本実施例の管理サーバ１４０のＣＰＵ１４２は、該遊技場別所有ポイント数特定処理によって特定された当該会員遊技者の各遊技場毎の所有ポイント数とその遊技場名とを含む遊技場別ポイント数情報を、サイトサーバ１４に対して送信する遊技場別ポイント数情報送信処理を実施し、該遊技場別ポイント数情報送信処理によって本発明における所有価値情報配信手段の一部が形成されている。
【００７７】
また、本実施例の管理サーバ１４０のＣＰＵ１４２は、前記サイトサーバ１４から送信される後述する消費情報の受信に基づいて、前記照合処理にて用いた遊技場ＩＤと会員ＩＤに対応付けて前記会員情報データベースに記憶されている氏名と電子メールアドレスとを特定し、該特定した氏名と電子メールアドレスに対応して会員別ポイント数テーブルに各遊技場ＩＤと当該遊技場の会員ＩＤに対応付けて記憶されている各所有ポイント数の内、受信した消費情報に含まれる遊技場名から特定される遊技場ＩＤ（遊技場情報テーブルより特定）に対応付けて記憶されている所有ポイント数から、受信した消費情報に含まれる当該会員ＩＤに対応するポイント数（消費ポイント数）を減算更新する所有ポイント数減算処理を実施し、該所有ポイント数減算処理にて本発明における所有価値減算手段が形成されている。
【００７８】
また、本実施例の管理サーバ１４０のＣＰＵ１４２は、所定操作に基づいて前記表示装置１４６に図８に示す抽選設定画面を表示して、抽選イベントに関する設定を受付けて、該受付けた内容の抽選イベントを設定する抽選イベント設定受付け処理を実施する。
【００７９】
この本実施例に用いた抽選設定画面には、図８に示すように、抽選を実施する日時を設定するための抽選実施日時の項目と、カードユニット３やサイトサーバ１４において会員遊技者から抽選への参加受付けを実施するか否かを設定するための抽選参加受付けの項目と、抽選参加受付けの項目において「する」を選択指定した場合においてアクティブ（設定可能）となり、抽選への参加を受付ける期間を設定するための参加受付け期間の項目と、抽選への参加１口に必要とするポイント数を設定するための参加必要ポイント数と、各賞級の総当選者数の項目とが設けられており、これらの各項目において実施したい抽選の内容を設定した後、画面下方の「設定」の選択入力部を選択入力して、当該設定内容が記憶されることで設定が実施される。尚、該抽選設定画面における抽選参加受付けの項目にて、「しない」を選択指定した場合においては、会員遊技者からの参加受付けに依ることなく、一義的に会員遊技者が所有する総所有ポイント数から参加口数が決定され、該参加口数に基づく抽選が実施されるようになる。
【００８０】
次いで、本発明における遊技場外管理装置を構成するサイトサーバ１４の構成について説明すると、まずサイトサーバ１４は、図６に示すように、コンピュータ内部にてデータの送受を行うデータバス１８１に、該サイトサーバ１４が実施するサイト用の各種データの送受を行う処理や、会員遊技者から会員ＩＤや暗証番号の受付けや他の遊技場の選択指定等の受付け処理や、比較表示内容の受付け処理や、前記管理サーバ１４０における抽出処理にて抽出された各遊技場の遊技関連情報を対比可能な比較表示ページを生成する処理等を行うＣＰＵ１８２、処理時の一時記憶領域等として使用されるＲＡＭ１８３、サイト用のＨＴＭＬデータや処理プログラム等が記憶されている磁気ディスクや光磁気ディスクから成る記憶装置１８４、前記管理サーバ１４０とのデータ通信を行う第１通信部１８８、インターネット網を介して会員遊技者の情報端末であるノートパソコン１５や携帯電話１６とのデータ通信を行う第２通信部１８９、が接続されたサーバ用のコンピュータである。
【００８１】
また、本実施例のサイトサーバ１４のＣＰＵ１８２は、会員遊技者の情報端末であるノートパソコン１５や携帯電話１６からのアクセスに基づいて、ログインページを配信し、当該会員遊技者が会員となっているいずれか１つの会員識別情報である会員ＩＤと暗証番号とを受付け、当該受付けた会員ＩＤと暗証番号とを管理サーバ１４０に送信する会員識別情報受付け処理を実施する。
【００８２】
また、本実施例のサイトサーバ１４のＣＰＵ１８２は、前記照合処理にて暗証番号による照合が得られた場合において、管理サーバ１４０から送信されるメインメニューページ配信指示の受信に基づいて、図１３に示すメインメニューページをアクセスしてきた会員遊技者の情報端末である例えばノートパソコン１５に対して配信するメインメニューページ配信処理を実施する。
【００８３】
また、本実施例のサイトサーバ１４のＣＰＵ１８２は、前記管理サーバ１４０における前記総所有価値特定処理にて特定された総所有ポイント数の送信を要求する旨となる前記配信されたメインメニューページにおいて会員遊技者が「抽選参加」のメニューを選択したことを示す抽選参加メニュー選択情報を会員遊技者の情報端末である例えばノートパソコン１５から受信する抽選参加メニュー選択情報受信処理を実施するとともに、該抽選参加メニュー選択情報の受信に基づいて抽選参加受付情報を管理サーバ１４０に送信し、該抽選参加メニュー選択情報受信処理によって本発明における総所有価値情報送信要求受信手段が形成されている。尚、本実施例では、該抽選参加メニュー選択情報受信処理においては、前記ログインページにおいて既に会員遊技者の情報端末である例えばノートパソコン１５から会員ＩＤの送信を受信済みであることから、会員ＩＤの再度の受信を省略しているが、本発明はこれに限定されるものではなく、例えば会員遊技者の情報端末である例えばノートパソコン１５から未だ会員ＩＤの送信がなされていない場合等には、これら抽選参加メニュー選択情報受信処理において会員ＩＤを同時に受信するようにすれば良い。
【００８４】
また、本実施例のサイトサーバ１４のＣＰＵ１８２は、前記抽選参加受付情報の管理サーバ１４０への送信に応じて管理サーバ１４０から送信されてくる総所有ポイント情報の受信に基づいて、総所有ポイント数と参加可能口数とを含む、図１４に示す参加受付けページをアクセスしてきた会員遊技者の情報端末である例えばノートパソコン１５に対して配信する参加受付けページ配信処理を実施し、該参加受付けページ配信処理によって本発明における総所有価値情報配信手段の一部が形成されている。
【００８５】
さらに、本実施例のサイトサーバ１４のＣＰＵ１８２は、該参加受付けページ配信処理にて配信した抽選参加受付けページにおいて、当該会員遊技者が会員となっている各遊技場毎でのポイント数の送信を要求する旨となる「参加する」のメニューを選択したことを示す参加希望メニュー選択情報を、会員遊技者の情報端末である例えばノートパソコン１５から受信する参加希望メニュー選択情報受信処理を実施するとともに、該参加希望メニュー選択情報の受信に基づいて「参加」を示す受付け結果を管理サーバ１４０に送信し、該参加希望メニュー選択情報受信処理によって本発明における所有価値情報送信要求受信手段が形成されている。尚、本実施例では、該参加希望メニュー選択情報受信処理においては、前記ログインページにおいて既に会員遊技者の情報端末である例えばノートパソコン１５から会員ＩＤの送信を受信済みであることから、会員ＩＤの再度の受信を省略しているが、本発明はこれに限定されるものではなく、例えば会員遊技者の情報端末である例えばノートパソコン１５から未だ会員ＩＤの送信がなされていない場合等には、これら参加希望メニュー選択情報受信処理において会員ＩＤを同時に受信するようにすれば良い。
【００８６】
また、本実施例のサイトサーバ１４のＣＰＵ１８２は、前記「参加」を示す受付け結果の管理サーバ１４０への送信に応じて管理サーバ１４０から送信されてくる遊技場別ポイント数情報の受信に基づいて、図１５に示す消費内訳受付けページをアクセスしてきた会員遊技者の情報端末である例えばノートパソコン１５に対して配信する消費内訳受付けページ配信処理を実施し、該消費内訳受付けページ配信処理によって本発明における所有価値情報配信手段の一部が形成されている。
【００８７】
さらに、本実施例のサイトサーバ１４のＣＰＵ１８２は、該消費内訳受付けページ配信処理にて配信した消費内訳受付けページが該ノートパソコン１５に表示されることによって、該消費内訳受付けページに含まれる当該会員遊技者が各遊技場にて所有する所有ポイント数の内、いずれの遊技場のポイント数から抽選イベントへの参加口数に必要な消費ポイント数を消費するかが該ノートパソコン１５にて受付けられることに基づいて、該受付けられた消費ポイント数と、該消費ポイント数を消費する遊技場を特定可能な情報となる遊技場名とを含む消費情報を、該ノートパソコン１５から受信する消費情報受信処理を実施し、該消費情報受信処理によって本発明における消費情報受信手段が形成されている。
【００８８】
以下、本実施例の遊技場システムにおいて、抽選イベントが実施される流れについて、まずは会員遊技者が遊技場のカードユニット３において抽選への参加を実施する場合に関して、図１０に基づいて説明すると、
【００８９】
会員遊技者が遊技場に来場して会員カードを、遊技を実施したいパチンコ機２に対応して設けられているカードユニット３の会員カード挿入口３０９に挿入すると、カードユニット３の制御ユニット３２８は、カードリーダライタ３２７からの出力に基づいて、新たな会員カードの受付け有りと判定して、カードリーダライタ３２７にて受付けた会員カードから記録情報、具体的には遊技場ＩＤと会員ＩＤと度数とを読み出し、一時記憶するとともに、受付けた会員カードから読み出した会員ＩＤと、当該カードユニット３に付与されている装置ＩＤとを含む会員カード受付通知を、会員管理コンピュータ１２０に送信する。
【００９０】
この会員カード受付通知の受信に基づいて会員管理コンピュータ１２０（ＣＰＵ１２２）は、前述した更新処理において該会員カード受付け通知に含まれる会員ＩＤに対応する本日来店の項目の記憶データ（フラグ）を、来店を示す「１」に更新するとともに、受信した会員カード受付通知に含まれる会員ＩＤと装置ＩＤと当該遊技場の遊技場ＩＤと総所有ポイント数の送信を要求する旨とを含む総所有ポイント数情報送信要求を、管理サーバ１４０に対して送信する。
【００９１】
この総所有ポイント数情報送信要求の受信に応じて管理サーバ１４０（ＣＰＵ１４２）は、受信した総ポイント数情報送信要求に含まれる遊技場ＩＤと会員ＩＤとに対応付けて会員情報テーブルに記憶されている氏名と電子メールアドレスを特定し、前記会員別所有ポイント数テーブルにおいて、該特定した会員の氏名並びに電子メールアドレスに対応付けて記憶されている各会員ＩＤに対応するポイント数の合計となる総所有ポイント数の項目に記憶されている総所有ポイント数を特定する。
【００９２】
そして、該特定した総所有ポイント数が、図８に示す抽選設定画面において、その時点において参加を受付け中に設定されている抽選イベントへの参加に必要なポイント数以上（本実施例では１０Ｐ以上）である場合において、該総所有ポイント数と、前記抽選イベントへの参加に必要なポイント数（本実施例では１０Ｐ）とに基づいて、該会員遊技者が抽選イベントへの参加に参加可能な参加口数を特定し、該特定した参加可能口数と前記特定した総所有ポイント数と、受信した総所有ポイント数情報送信要求に含まれる装置ＩＤと含む総所有ポイント数情報を、受信した総所有ポイント数情報送信要求の送信元の会員管理コンピュータ１２０に対して送信する。
【００９３】
この総所有ポイント数情報送信要求を受信した会員管理コンピュータ１２０（ＣＰＵ１２２）は、受信した総所有ポイント数情報を、該総所有ポイント数情報に含まれる装置ＩＤから特定されるカードユニット３（制御ユニット３２８）に中継する。
【００９４】
該中継された総所有ポイント数情報を受信したカードユニット３（制御ユニット３２８）は、受信した総所有ポイント数情報に含まれる総所有ポイント数と参加口数と含む、図１１（ａ）に示す抽選参加受付け画面を表示部３１２に表示する。
【００９５】
この抽選参加受付け画面には、図１１（ａ）に示す如く、その画面下方部に、会員遊技者から抽選への参加を受付けるための「参加する」と「参加しない」の各選択入力部が設けられており、これら「参加する」と「参加しない」の各選択入力部の選択を会員遊技者から受付ける。
【００９６】
該抽選参加受付けにおいて、会員遊技者により「参加しない」が選択された場合には処理を中断し、「参加する」が選択された場合には、受付け中の会員カードから読み出したか会員ＩＤと当該カードユニット３の装置ＩＤと当該会員ＩＤから特定される会員遊技者が会員となっている各遊技場毎の所有ポイント数の送信を要求する旨とを含む遊技場別ポイント数情報送信要求を、会員管理コンピュータ１２０に対して送信する。
【００９７】
該遊技場別ポイント数情報送信要求を受信した会員管理コンピュータ１２０（ＣＰＵ１２２）は、受信した遊技場別ポイント数情報送信要求に当該遊技場の遊技場ＩＤを付加して管理サーバ１４０に送信（中継）する。
【００９８】
該中継された遊技場別ポイント数情報送信要求を受信した管理サーバ１４０（ＣＰＵ１４２）は、受信した遊技場別ポイント数情報送信要求に付加されている遊技場ＩＤと、受信した遊技場別ポイント数情報送信要求に含まれる会員ＩＤに対応付けて会員情報テーブルに記憶されている氏名と電子メールアドレスを特定し、前記会員別所有ポイント数テーブルにおいて、該特定した会員の氏名並びに電子メールアドレスに対応付けて記憶されている各遊技場の会員ＩＤに対応する所有ポイント数を特定する。
【００９９】
そして、該特定した各遊技場毎の所有ポイント数とその遊技場名と、受信した遊技場別ポイント数情報送信要求に含まれる装置ＩＤとを含む遊技場別ポイント数情報を、受信した遊技場別ポイント数情報送信要求の送信元の会員管理コンピュータ１２０に対して送信する。
【０１００】
この遊技場別ポイント数情報を受信した会員管理コンピュータ１２０（ＣＰＵ１２２）は、受信した遊技場別ポイント数情報を、該遊技場別ポイント数情報に含まれる装置ＩＤから特定されるカードユニット３（制御ユニット３２８）に中継する。
【０１０１】
そして、該中継された遊技場別ポイント数情報を受信したカードユニット３（制御ユニット３２８）は、受信した遊技場別ポイント数情報に含まれる当該会員遊技者が会員となっている各遊技場の遊技名と該遊技場において当該会員遊技者が所有する所有ポイント数とを含む、図１１（ｂ）に示す消費ポイント内訳受付画面を表示して、当該会員遊技者が会員となっている各遊技場において所有する所有ポイント数を会員遊技者に報知する。
【０１０２】
この本実施例の消費ポイント内訳受付画面には、図１１（ｂ）に示す如く、前記抽選参加受付け画面において報知された参加可能口数を上限として、該上限の範囲内の参加口数を選択可能として会員遊技者から参加口数を受付けるための参加口数の項目と、該受付けた参加口数に対して必要とされる消費ポイント数が表示される必要Ｐの項目とが設けられている。
【０１０３】
更に、消費ポイント内訳受付画面の中央部には、当該会員遊技者が会員となっている各遊技場において所有する所有ポイント数が、遊技場名に対応して表示されているとともに、該表示の向かって右方向には、各遊技場名に対応する所有ポイント数を上限値として、該上限値の範囲内のポイント数を選択可能とされた消費Ｐの項目が設けられていて、会員遊技者から、前記参加口数の項目にて受付けた参加口数に対して必要とされる消費ポイント数を、どの遊技場の所有ポイント数から、どれだけ消費するかである、抽選への参加に必要な消費ポイント数の消費内訳を受付け可能とされている。
【０１０４】
そして、消費ポイント内訳受付画面の下方に設けられている「決定」の選択入力部が選択入力されることで、前記消費Ｐの項目にて選択された数値が、指定値として特定され、その合計が参加口数に対して必要とされる消費ポイント数と一致するかを判定し、一致する場合において、会員遊技者から受付けた消費内訳、具体的には、遊技場の所有ポイントから消費する消費ポイント数となる消費Ｐの項目における指定値（消費ポイント数）と、該指定値に対応する遊技場名と、前記参加口数の項目にて選択された参加口数とを含む消費情報を、会員管理コンピュータ１２０に送信する。
【０１０５】
該消費情報を受信した会員管理コンピュータ１２０（ＣＰＵ１２２）は、受信した消費情報に当該遊技場の遊技場ＩＤを付加して管理サーバ１４０に送信（中継）する。
【０１０６】
そして、該中継された消費情報を受信した管理サーバ１４０（ＣＰＵ１４２）は、受信した消費情報に付加されている遊技場ＩＤと、該受信した消費情報に含まれる会員ＩＤに対応付けて前記会員情報データベースに記憶されている氏名と電子メールアドレスとを特定し、該特定した氏名と電子メールアドレスに対応して会員別ポイント数テーブルに各遊技場ＩＤと該遊技場の会員ＩＤに対応付けて記憶されている各所有ポイント数の内、受信した消費情報に含まれる遊技場名から特定される遊技場ＩＤ（遊技場情報テーブルにて特定）に対応付けて記憶されている所有ポイント数から、受信した消費情報に含まれる当該会員ＩＤに対応するポイント数（消費ポイント数）を減算更新するとともに、受信した消費情報に含まれる参加口数分、例えば１口であれば１つ、２口であれば２つの前記にて特定した電子メールアドレスを抽選テーブルにセット（設定）する。
【０１０７】
そして、図８に示す前記抽選設定画面において当該抽選イベントに対して設定されている抽選日時に、これら参加口数に対応した数の電子メールアドレスがセットされた抽選テーブルから、図８に示す前記抽選設定画面において各賞毎に設定されている数の電子メールアドレスを抽出して当選者を抽選し、該抽出した当選者の電子メールアドレスに当選メールを送信して当選を報知する。
【０１０８】
次に、会員遊技者が、自身が操作可能な情報端末、例えばノートパソコン１５を用いて、遊技場外の例えば自宅等から抽選への参加を実施する場合に関して、図１７に基づいて説明する。
【０１０９】
この場合には、会員遊技者は、ノートパソコン１５から会員サービスサイトのＵＲＬにアクセスすることで、サイトサーバ１４（ＣＰＵ１８２）は、該ノートパソコン１５に対して、図１２に示すログインページを配信し、該ログインページにおいて会員遊技者から、該会員遊技者が会員となっているいずれか１つの遊技場の会員ＩＤと、その会員ＩＤに対応する（その遊技場における）暗証番号をとを受付ける。
【０１１０】
そして、サイトサーバ１４（ＣＰＵ１８２）は、該ログインページにおいて会員遊技者から受付けた会員ＩＤと暗証番号を管理サーバ１４０に送信する。
【０１１１】
このサイトサーバ１４からの会員ＩＤと暗証番号の送信を受けて管理サーバ１４０（ＣＰＵ１４２）は、受信した会員ＩＤから、該会員ＩＤに対応する遊技場ＩＤを特定し、該特定した遊技場ＩＤと会員ＩＤとに対応して遊技場別会員情報データベースに記憶されている暗証番号と、サイトサーバ１４からの暗証番号とを比較して照合処理を実施し、該照合が一致することに基づいてログインを許諾し、サイトサーバ１４に対してメインメニューページ配信指示を送信する。
【０１１２】
このメインメニューページ配信指示の受信に応じてサイトサーバ１４（ＣＰＵ１８２）は、図１３に示すメインメニューページを配信して、ログインした会員遊技者から、所望の処理内容の選択を受付ける。
【０１１３】
このメインメニューページにおいて、「ポイント確認」のメニューが選択された場合には、前記管理サーバ１４０の会員別所有ポイント数テーブルに記憶されている当該会員遊技者が会員となっている各遊技場において所有する所有ポイント数が表示された所有ポイント数確認ページが配信されることで、会員遊技者が自分が会員となっている各遊技場において、その時点において所有している所有ポイント数を確認できるようになっている。
【０１１４】
また、「登録内容変更」のメニューが選択された場合には、遊技場別会員情報データベースに記憶されている当該会員遊技者の属性情報に関する登録内容の変更受付けが実施されることで、属性情報に関する登録内容を変更することができるようになっている。
【０１１５】
そして、「抽選参加」のメニューが選択された場合には、サイトサーバ１４（ＣＰＵ１８２）は、該「抽選参加」のメニューが選択されたことを示す抽選参加メニュー選択情報の受信に基づいて、抽選参加のメニュー選択がなされたことを示す抽選参加受付情報を管理サーバ１４０に送信する。
【０１１６】
この抽選参加受付情報の受信に基づいて管理サーバ１４０（ＣＰＵ１４２）は、前記照合処理にて用いた遊技場ＩＤと会員ＩＤに対応付けて前記会員情報データベースに記憶されている氏名と電子メールアドレスとを特定し、該特定した氏名と電子メールアドレスに対応して会員別ポイント数テーブルの総所有ポイント数の項目に記憶されている総所有ポイント数、つまりは、前記総所有ポイント数特定処理にて特定される総所有ポイント数と、該特定した総所有ポイント数に基づく受付け期間中の抽選への参加可能口数とを含む総所有ポイント数情報をサイトサーバ１４に対して送信する。
【０１１７】
この総所有ポイント数情報を受信したサイトサーバ１４（ＣＰＵ１８２）は、受信した総所有ポイント数情報に含まれる総所有ポイント数と、参加可能口数とを含む参加受付けページを会員遊技者の情報端末であるノートパソコン１５に対して配信する。
【０１１８】
この抽選参加受付けページには、図１４に示す如く、そのページの下方部に、会員遊技者から抽選への参加を受付けるための「参加する」と「参加しない」の各選択入力部が設けられており、これら「参加する」と「参加しない」の各選択入力部の選択を会員遊技者から受付ける。
【０１１９】
該抽選参加受付けにおいて、会員遊技者により「参加しない」が選択された場合には処理を中断し、前記メインメニューを再度配信して該メインメニューに戻り、「参加する」が選択された場合には、情報端末であるノートパソコン１５から送信される該「参加する」のメニューを選択したことを示す参加希望メニュー選択情報の受信に基づいて、「参加」を示す受付け結果を管理サーバ１４０に送信する。
【０１２０】
該「参加」を示す受付け結果を受信した管理サーバ１４０（ＣＰＵ１４２）は、前記照合処理にて用いた遊技場ＩＤと会員ＩＤに対応付けて前記会員情報データベースに記憶されている氏名と電子メールアドレスとを特定し、該特定した氏名と電子メールアドレスに対応して会員別ポイント数テーブルに各遊技場ＩＤと当該遊技場の会員ＩＤに対応付けて記憶されている所有ポイントから、該会員遊技者が会員となっている各遊技場にて所有している所有ポイント数を特定し、該特定した当該会員遊技者の各遊技場毎の所有ポイント数とその遊技場名（遊技場情報テーブルから特定）とを含む遊技場別ポイント数情報を、サイトサーバ１４に対して送信する。
【０１２１】
この遊技場別ポイント数情報の受信に基づいてサイトサーバ１４（ＣＰＵ１８２）は、受信した遊技場別ポイント数情報に含まれる当該会員遊技者が会員となっている各遊技場の遊技名と該遊技場において当該会員遊技者が所有する所有ポイント数とを含む、図１５に示す消費ポイント内訳受付ページを配信して、当該会員遊技者が会員となっている各遊技場において所有する所有ポイント数を会員遊技者に報知する。
【０１２２】
この本実施例の消費ポイント内訳受付ページには、図１５に示す如く、前記抽選参加受付けページにおいて報知された参加可能口数を上限として、該上限の範囲内の参加口数を選択可能として会員遊技者から参加口数を受付けるための参加口数の項目と、該受付けた参加口数に対して必要とされる消費ポイント数が表示される必要Ｐの項目とが設けられている。
【０１２３】
更に、消費ポイント内訳受付ページの中央部には、当該会員遊技者が会員となっている各遊技場において所有する所有ポイント数が、遊技場名に対応して表示されているとともに、該表示の向かって右方向には、各遊技場名に対応する所有ポイント数を上限値として、該上限値の範囲内のポイント数を選択可能とされた消費Ｐの項目が設けられていて、会員遊技者から、前記参加口数の項目にて受付けた参加口数に対して必要とされる消費ポイント数を、どの遊技場の所有ポイント数から、どれだけ消費するかである、抽選への参加に必要な消費ポイント数の消費内訳を受付け可能とされている。
【０１２４】
そして、消費ポイント内訳受付ページの下方に設けられている「決定」の選択入力部が選択入力されることで、当該消費ポイント内訳受付ページにて受付けられた参加口数や前記消費Ｐの項目にて選択された数値（消費ポイント数）の情報が情報端末であるノートパソコン１５からサイトサーバ１４に送信されてくることに基づいて、サイトサーバ１４（ＣＰＵ１８２）は、受信した情報に基づく参加口数に対して必要とされる消費ポイント数と、消費Ｐの項目にて選択された数値（消費ポイント数）の合計とが一致するかを判定し、一致する場合において、情報端末であるノートパソコン１５から受信した情報に基づく会員遊技者から受付けた消費内訳、具体的には、遊技場の所有ポイントから消費する消費ポイント数となる消費Ｐの項目における数値（消費ポイント数）と、該数値（消費ポイント数）に対応する遊技場名と、前記参加口数の項目にて選択された参加口数とを含む消費情報を、管理サーバ１４０に送信する。
【０１２５】
そして、該消費情報を受信した管理サーバ１４０（ＣＰＵ１４２）は、前記照合処理にて用いた遊技場ＩＤと会員ＩＤに対応付けて前記会員情報データベースに記憶されている氏名と電子メールアドレスとを特定し、該特定した氏名と電子メールアドレスに対応して会員別ポイント数テーブルに各遊技場ＩＤと当該遊技場の会員ＩＤとに対応付けて記憶されている各所有ポイント数の内、受信した消費情報に含まれる遊技場名から特定される遊技場ＩＤ（遊技場情報テーブルより特定）に対応付けて記憶されている所有ポイント数から、受信した消費情報に含まれる当該会員ＩＤに対応するポイント数（消費ポイント数）を減算更新するとともに、受信した消費情報に含まれる参加口数分、例えば１口であれば１つ、２口であれば２つの前記にて特定した電子メールアドレスを抽選テーブルにセット（設定）する。
【０１２６】
そして、図８に示す前記抽選設定画面において当該抽選イベントに対して設定されている抽選日時に、これら参加口数に対応した数の電子メールアドレスがセットされた抽選テーブルから、図８に示す前記抽選設定画面において各賞毎に設定されている数の電子メールアドレスを抽出して当選者を抽選し、該抽出した当選者の電子メールアドレスに当選メールを送信して当選を報知する。
【０１２７】
以上、本実施例によれば、同一の会員遊技者が会員となっている各遊技場における所有ポイント数が、総所有ポイント数として特定され、該特定された総所有ポイント数がイベントへの参加に必要なポイント数以上であることを条件に、該会員遊技者をイベントへ参加させるための各種処理、具体的には、前述した参加口数特定処理、総所有ポイント数情報送信処理、遊技場別所有ポイント数特定処理、遊技場別ポイント数情報送信処理、抽選対象値設定処理が実施されるようになるため、会員は、会員となっている複数の遊技場におけるポイントを合算した総所有ポイント数を使用して所望するイベントへの参加を受けられ、会員の利便性を向上することができる。
【０１２８】
また、本実施例によれば、会員遊技者は、どの遊技場におけるポイント数からイベントへの参加に必要となる消費ポイント数を消費するかを、店舗用装置である遊技用装置としてのカードユニット３において指定することができ、会員の利便性を向上できる。
【０１２９】
また、本実施例によれば、会員遊技者が会員となっている各遊技場にて所有するポイント数の合計である総所有ポイント数が、店舗用装置である遊技用装置としてのカードユニット３に表示されるようになるので、会員遊技者は、自分の総所有ポイント数を容易に確認できる。
【０１３０】
また、本実施例によれば、会員遊技者は、どの遊技場におけるポイント数からイベントへの参加に必要となる消費ポイント数を消費するかを指定することが、遊技場に出向くことなく、会員遊技者自身が操作可能な情報端末である例えばノートパソコン１５において実施でき、会員の利便性を向上できる。
【０１３１】
また、本実施例によれば、会員遊技者が会員となっている各遊技場にて所有するポイント数の合計である総所有ポイント数が、会員遊技者自身が操作可能な情報端末である例えばノートパソコン１５において表示されるようになるので、会員遊技者は、遊技場に出向くことなく自分の総所有ポイント数を容易に確認できる。
【０１３２】
以上、本発明の実施例を図面により説明してきたが、具体的な構成はこれら実施例に限られるものではなく、本発明の要旨を逸脱しない範囲における変更や追加があっても本発明に含まれる。
【０１３３】
例えば、前記実施例では、イベントとして、当該イベントに参加する会員を対象として抽選を行い、当選した会員に対して所定の特典を付与する抽選イベントを提供する場合を例に説明したが、本発明はこれに限定されるものではなく、これらの抽選を行うことなく、参加受付けにより、例えば先着順に特典を付与したり全ての会員に特典を付与するようにしても良く、これら全ての会員に特典を付与する場合にあっては、前述の実施例における会員をイベントへ参加させるための処理に加えて、会員に特典を付与するための処理となる、例えば、参加（特典の付与）を申し込んだ会員の電子メールに、特典との交換が可能なバーコード等を含む電子メールを送信する特典付与メールの送信処理等を実施して、該バーコードの印字や携帯電話の表示部への表示等により、対応する特典、例えば食材や家電等との交換を実施して、当該会員への特典の付与を実施するようにしても良く、これらの特典の付与と、前記抽選イベントの付与の双方、或いは一方のみを実施できるようにしても良い。つまりは、会員遊技者がカードユニット３に会員カードを挿入することで特定される前記総所有ポイント数が、景品交換に必要なポイント数以上であれば、景品交換可能な景品の情報をカードユニット３に送信して一覧表示させ、会員遊技者から交換する景品の選択を受付けて、該選択された景品の景品交換に必要なポイント数を各遊技場において所有する所有ポイント数から減算更新するとともに、例えば前記特典付与メールを当該会員遊技者の電子メールアドレスに送信することで、該会員遊技者が選択した景品を取得（交換）できるようにしても良い。
【０１３４】
更には、これら景品交換のメニューを図１３に示すメインメニューページに表示するようにして、これら景品交換のメニューと、前記実施例における抽選参加のメニューとを、会員遊技者が選択できるようにしても良い。
【０１３５】
また、前記実施例では、カードユニット３と管理サーバ１４０とが、会員管理コンピュータ１２０を介して各種の情報等を送受しているが、本発明はこれに限定されるものではなく、これらの情報の送受を、会員管理コンピュータ１２０を介すことなく、カードユニット３と管理サーバ１４０とが直接実施するようにしても良い。
【０１３６】
また、前記実施例では、会員遊技者から抽選への参加を受付けるようにしているが、本発明はこれに限定されるものではなく、例えば、図８に示す抽選設定画面における抽選参加受付けの項目において「しない」を設定した場合のように、一義的に各会員遊技者の総所有ポイント数に基づいて、前述の抽選イベントへ参加するための処理を実施するようにしても良い。
【０１３７】
また、前記実施例では、店舗として遊技場を例に説明しているが、本発明はこれに限定されるものではなく、これらの店舗は遊技場以外の店舗であっても良く、例えば、フランチャイズチェーンのコンビニエンスストア等において、各店舗（ストア）のみに使用可能な会員用のポイントカードを使用して、当該会員用ポイントカードを所有する会員に来店や購入金額に応じてポイントを付与し、当該会員が会員用の専用端末に会員用ポイントカードを挿入することで、これらフランチャイズチェーンによって提携関係にある各店舗（ストア）にて付与したポイントの総所有ポイント数が抽選参加や景品交換に必要なポイント数以上であれば、抽選参加を受付けて抽選を実施し、当選した会員に対して当選メールを送信するようにしても良い。尚、提携関係にある店舗としては、フランチャイズチェーンの関係がない店舗であっても良い。
【０１３８】
また、前記実施例では、遊技用装置としてパチンコ機２に対応して設けられているカードユニット３を例に説明しているが、本発明はこれに限定されるものではなく、これら遊技用装置を、遊技場内の所定位置、例えば遊技島端部等に設けられた表示ディスプレイと操作パネル等を備え、会員カードを挿入可能とされた会員用端末であっても良い。
【０１３９】
また、前記実施例では、店舗用装置をカードユニット３と会員管理コンピュータ１２０とで構成するようにしているが、本発明はこれに限定されるものではなく、これら店舗用装置をカードユニット３のみで構成しても良い。
【０１４０】
また、前記実施例では、消費ポイント数を消費する遊技場の指定のみならず、該指定した遊技場の所有ポイント数から消費するポイント数も会員から受付けるようにしているが、本発明はこれに限定されるものではなく、これらの指定を消費する遊技場の指定のみとしても良いし、更には、会員遊技者からの指定を受付けることなく、会員遊技者が来場中の遊技場のポイントから優先的に使用し、不足分をその他の会員となっている遊技場の所有ポイントから均等に消費するようにしたり、或いは、最も所有ポイント数の少ない遊技場のポイント数から消費していくように、予め設定しておいても良い。
【０１４１】
また、前記実施例では、会員登録情報を会員管理コンピュータ１２０から通信にて管理サーバ１４０に送信するようにしており、このようにすることは、カード管理会社にて会員登録情報を入力する手間や入力間違いを低減できることから好ましいが、本発明はこれに限定されるものではなく、これらの会員登録情報を、各遊技場から会員登録カードを郵送等にてカード会社に送付して、該カード管理会社にて会員登録情報を入力するようにしても良い。
【０１４２】
また、前記実施例では、価値付与対象情報として、会員遊技者の来店を示す本日来店の情報と、一日の使用度数を示す本日総使用度数の情報としているが、本発明はこれに限定されるものではなく、例えば、これら価値付与対象情報に、遊技時間等を加えて、遊技時間に応じてポイントを付与するようにしても良い。
【０１４３】
また、前記実施例では、同一の会員遊技者が会員登録している各遊技場を容易に特定できるようにするとともに、これら各遊技場において会員遊技者が所有する所有ポイント数を簡便に把握できるようにするために、予め会員遊技者の氏名と電子メールアドレスに対応付けて、各会員遊技者が会員となっている遊技場の遊技場ＩＤと該遊技場における会員ＩＤとを記憶するとともに、これら各会員ＩＤに対応付けて、各遊技場において所有する所有ポイント数を記憶する会員別所有ポイント数テーブルとしているが、本発明はこれに限定されるものではなく、これらのポイント数を、遊技場別会員情報データベースの各会員ＩＤに対応付けて記憶しておき、１つの遊技場における会員ＩＤから特定される氏名と電子メールアドレスと同一の氏名と電子メールアドレスを含む他の遊技場の会員遊技者を、同一の会員遊技者として特定して、同一の氏名と電子メールアドレスを含む会員ＩＤに対応付けて遊技場別会員情報データベースに記憶されている各所有ポイント数を特定して、これら各所有ポイント数の合計から総所有ポイント数を特定するようにしても良い。
【０１４４】
また、前記実施例では、サイトサーバ１４をカード管理会社に設けて、該サイトサーバ１４にて提供される会員サービスサイトからも抽選への参加が可能とされているが、本発明はこれに限定されるものではなく、これらサイトサーバ１４を有しない構成としても良い。
【０１４５】
また、前記実施例では、管理サーバ１４０を、カード管理会社に設置した例を示したが、本発明はこれに限定されるものではなく、これら管理サーバ１４０を、カード管理会社以外の機関に設置するようにしても良い。
【０１４６】
また、前記実施例では、プリペイドカードとして使用可能な会員カードを例示したが、本発明はこれに限定されるものではなく、これら会員カードは、プリペイド機能を有しないものであっても良い。
【０１４７】
また、これら会員カードの形態は、カード状のものに限定されるものではなく、会員ＩＤ等の各データを記憶可能で、会員が容易に携行できるものであれば良く、例えば携帯電話１６であっても良い。
【０１４８】
また、前記実施例では、管理サーバ１４０において、図７に示す会員別所有ポイント数テーブルに示すように、各会員遊技者の氏名と電子メールアドレスに対応付けて、各会員遊技者が会員となっている各遊技場の所有ポイント数と、その合計となる総所有ポイント数とを記憶、管理するようにしているが、本発明はこれに限定されるものではなく、例えば、前記実施例のように、会員遊技者から、抽選への参加に使用するポイント数の消費内訳等の受付けを実施しない場合であれば、各会員遊技者の氏名と電子メールアドレスに対応付けて総所有ポイント数のみを記憶、管理するようにしても良いし、或いは、これら総所有ポイント数を予め記憶、管理するのではなく、各遊技場毎の所有ポイント数のみを記憶、管理しておき、総所有ポイント数情報送信要求の受信に応じて各会員遊技者の総所有ポイント数を算出して特定するようにしても良い。
【０１４９】
前記実施例における各要素は、本発明に対して以下のように対応している。
本発明の請求項１は、各店舗（遊技場）において会員登録した会員（会員遊技者）に対して付与される価値（ポイント）を使用して、当該会員に対してイベント（抽選イベント）への参加および／または特典の付与を提供するための会員サービス提供システムであって、各店舗において個別に各会員に対して付与された情報であって各会員を個々に識別可能な会員識別情報（会員ＩＤ）が記録され、該会員が会員登録した店舗においてのみ使用可能とされた会員用記録媒体（会員カード）を受付けて、該会員用記録媒体に記録されている前記会員識別情報を読み出す読み出し手段（カードリーダライタ３２７）と、該読み出し手段にて会員識別情報が読み出されることを条件として発生する前記価値の付与対象となる価値付与対象情報（本日来店、本日総使用度数）と、該読み出された会員識別情報とを送信する価値付与対象情報送信手段（ＣＰＵ１２２；会員別使用度数情報送信処理）と、を備え、店舗内に設置された店舗用装置（カードユニット３、会員管理コンピュータ１２０）と、複数の各店舗に設置された前記店舗用装置とデータ通信可能に接続され、各会員が会員となっている各店舗の会員識別情報に対応付けて当該会員が所有する価値の大きさ（ポイント数）を記憶するための会員所有価値記憶手段（会員別所有ポイント数テーブル）と、前記価値付与対象情報の受信に基づいて、該価値付与対象情報とともに受信した会員識別情報に対応付けて前記会員所有価値記憶手段に記憶されている価値の大きさに、該価値付与対象情報に応じた価値の大きさを加算更新することで付与する価値付与手段（ＣＰＵ１４２；ポイント付与処理）と、各会員が会員となっている各店舗の会員識別情報に対応付けて当該会員の会員属性情報を記憶する会員属性情報記憶手段と、を備え、店舗外に設置された場外管理装置（管理サーバ１４０、サイトサーバ１４）と、から成り、前記場外管理装置は、前記店舗用装置から取得した該店舗用装置が設置されている店舗の会員の会員識別情報に対応付けて前記会員属性情報記憶手段に記憶されている会員属性情報を特定するとともに、該特定した会員属性情報と同一の会員属性情報に対応付けて前記会員属性情報記憶手段に記憶されている他の会員識別情報を全て特定することにより、当該会員が会員登録している他店舗の会員識別情報を全て特定する会員識別情報特定手段と
、前記店舗用装置から取得した会員属性情報と前記会員識別情報特定手段にて特定した他店舗の会員識別情報に対応付けて前記前記会員所有価値記憶手段に記憶されている価値の大きさを合算することにより、当該会員が、会員となっている各店舗において所有する価値の大きさの合計である総所有価値の大きさ（総所有ポイント数）を特定する総所有価値特定手段（ＣＰＵ１４２；総所有ポイント数特定処理）と、前記総所有価値特定手段にて特定された該会員の総所有価値の大きさが前記イベントへの参加に必要な価値（１０ポイント）の大きさ以上であることを条件に、該会員をイベントへ参加させるための処理を行うイベント参加処理手段（ＣＰＵ１４２；参加口数特定処理、総所有ポイント数情報送信処理、遊技場別所有ポイント数特定処理、遊技場別ポイント数情報送信処理、抽選対象値設定処理）、および／または前記総所有価値特定手段にて特定された該会員の総所有価値の大きさが特典の付与に必要な価値の大きさ以上であることを条件に、該会員に特典を付与するための処理を行う特典付与処理手段と、前記イベント参加処理手段におけるイベントへの参加および／または前記特典付与処理手段における特典の付与がなされた会員の会員識別情報に対応付けて前記会員所有価値記憶手段に記憶されている価値の大きさから、当該会員のイベントへの参加および／または当該会員への特典の付与に消費される消費価値の大きさを減算更新する所有価値減算手段（ＣＰＵ１４２；所有ポイント数減算処理）と、を備える。
【０１５０】
本発明の請求項２は、前記会員所有価値記憶手段（会員別所有ポイント数テーブル）は、各会員（会員遊技者）が会員となっている各店舗（遊技場）の会員識別情報（会員ＩＤ）毎に当該会員が該店舗において所有する価値の大きさ（所有ポイント数）を記憶し、前記店舗用装置（カードユニット３、会員管理コンピュータ１２０）は、前記読み出し手段（カードリーダライタ３２７）にて読み出した会員識別情報と、当該会員識別情報から特定される会員が会員となっている各店舗での価値の大きさの送信を要求する旨とを含む所有価値情報送信要求（遊技場別ポイント数情報送信要求）を前記場外管理装置（管理サーバ１４０）に送信する所有価値情報送信要求送信手段（制御ユニット３２８；遊技場別ポイント数情報送信要求送信処理）を備え、前記場外管理装置は、前記所有価値情報送信要求の受信に基づいて、該所有価値情報送信要求に含まれる会員識別情報と、該会員識別情報から前記会員識別情報特定手段により特定される当該会員が会員となっている他店舗における会員識別情報と、に対応付けて前記会員所有価値記憶手段に記憶されている各店舗毎の価値の大きさを特定する店舗別所有価値特定手段（ＣＰＵ１４２；遊技場別所有ポイント数特定処理）と、該店舗別所有価値特定手段にて特定された各店舗毎の価値の大きさを特定可能な所有価値情報を、前記所有価値情報送信要求の送信元の店舗用装置に送信する所有価値情報送信手段（ＣＰＵ１４２；遊技場別ポイント数情報送信処理）と、前記店舗用装置は、前記所有価値情報の受信に基づいて、該受信した所有価値情報から特定される各店舗における価値の大きさを表示する所有価値情報表示手段（制御ユニット３２８；消費ポイント内訳受付画面表示処理、表示部３１２）と、該所有価値情報表示手段にて表示された各店舗毎における価値の大きさの内、いずれの店舗の価値の大きさから前記消費価値の大きさを消費するかを受付ける消費店舗受付手段（制御ユニット３２８；消費ポイント内訳受付処理）と、該消費店舗受付手段にて受付けた前記消費価値の大きさを消費する店舗を特定可能な情報（会員ＩＤ）と、前記読み出し手段にて読み出した会員識別情報とを含む消費情報を送信する消費情報送信手段（制御ユニット３２８；消費情報送信処理）と、を備え、前記所有価値減算手段（ＣＰＵ１４２；所有ポイント数減算処理）は、受
信した前記消費情報に含まれる会員識別情報から特定される会員が会員となっている店舗の内、前記消費価値の大きさを消費する店舗を該消費情報に含まれる店舗を特定可能な情報により特定し、当該特定した店舗における当該会員の会員識別情報に対応付けて前記会員所有価値記憶手段に記憶されている価値の大きさから、前記消費価値の大きさを減算更新する。
【０１５１】
本発明の請求項３は、前記店舗用装置（会員管理コンピュータ１２０）は、前記読み出し手段（カードリーダライタ３２７）にて読み出した会員識別情報（会員ＩＤ）と、前記総所有価値特定手段（ＣＰＵ１４２；総所有ポイント数特定処理）にて特定された総所有価値の大きさ（総所有ポイント数）の送信を要求する旨とを含む総所有価値情報送信要求（総所有ポイント数情報送信要求）を送信する総所有価値情報送信要求送信手段（ＣＰＵ１２２；総所有ポイント数情報送信要求送信処理）を備え、前記場外管理装置（管理サーバ１４０）は、前記総所有価値情報送信要求の受信に基づいて、該総所有価値情報送信要求に含まれる会員識別情報から特定される会員の前記総所有価値特定手段にて特定された総所有価値の大きさを特定可能な総所有価値情報（総所有ポイント数情報）を、該総所有価値情報送信要求の送信元の店舗用装置に送信する総所有価値情報送信手段（ＣＰＵ１４２；総所有ポイント数情報送信処理）を備え、前記店舗用装置（カードユニット３）は、前記総所有価値情報の受信に基づいて、該総所有価値情報から特定される総所有価値の大きさを表示する総所有価値表示手段（制御ユニット３２８；抽選参加受付け画面表示処理、表示部３１２）を備える。
【０１５２】
本発明の請求項４は、前記会員所有価値記憶手段（会員別所有ポイント数テーブル）は、各会員（会員遊技者）が会員となっている各店舗（遊技場）の会員識別情報（会員ＩＤ）毎に当該会員が該店舗において所有する価値の大きさ（所有ポイント数）を記憶し、前記場外管理装置（サイトサーバ１４、管理サーバ１４０）は、会員が操作可能な情報端末（ノートパソコン１５、携帯電話１６）から当該会員の会員識別情報（会員ＩＤ）と、当該会員が会員となっている各店舗での価値の大きさの送信を要求する旨とを含む所有価値情報送信要求（抽選参加メニュー選択情報）を受信するための所有価値情報送信要求受信手段（ＣＰＵ１８２；抽選参加メニュー選択情報受信処理）と、前記所有価値情報送信要求受信手段における所有価値情報送信要求の受信に基づいて、該所有価値情報送信要求に含まれる会員識別情報と、該会員識別情報から前記会員識別情報特定手段により特定される当該会員が会員となっている他店舗における会員識別情報と、に対応付けて前記会員所有価値記憶手段に記憶されている各店舗毎の価値の大きさを特定する店舗別所有価値特定手段（ＣＰＵ１４２；遊技場別所有ポイント数特定処理）と、該店舗別所有価値特定手段にて特定された各店舗毎の価値の大きさを特定可能な所有価値情報を、前記所有価値情報送信要求の送信元の情報端末に配信する所有価値情報配信手段（ＣＰＵ１４２；遊技場別ポイント数情報送信処理、ＣＰＵ１８２；消費内訳受付けページ配信処理）と、該所有価値情報の配信に基づいて前記情報端末において表示される各店舗における価値の大きさの内、いずれの店舗の価値の大きさから前記消費価値の大きさを消費するかが該情報端末にて受付けられることに基づいて、該受付けられた前記消費価値の大きさを消費する店舗を特定可能な情報を含む消費情報を、該情報端末から受信する消費情報受信手段（ＣＰＵ１８２；消費情報受信処理）と、を備え、前記所有価値減算手段（ＣＰＵ１４２；所有ポイント数減算処理）は、前記所有価値情報送信要求受信手段にて受信した所有価値情報送信要求に含まれる会員識別情報から特定される会員が会員となっている店舗の内、前記消費価値の大きさを消費する店舗を前記消費情報受信手段にて受信した消費情報に含まれる店舗を特定可能な情報（会員ＩＤ）により特定し、当該特定した店舗における当該会員の会
員識別情報に対応付けて前記会員所有価値記憶手段に記憶されている価値の大きさから、前記消費価値の大きさを減算更新する。
【０１５３】
本発明の請求項５は、前記場外管理装置（サイトサーバ１４、管理サーバ１４０）は、会員が操作可能な情報端末（ノートパソコン１５、携帯電話１６）から当該会員の会員識別情報（会員ＩＤ）と、前記総所有価値特定手段（ＣＰＵ１４２；総所有ポイント数特定処理）にて特定された総所有価値の大きさ（総所有ポイント数）の送信を要求する旨とを含む総所有価値情報送信要求を受信する総所有価値情報送信要求受信手段（ＣＰＵ１８２；抽選参加メニュー選択情報受信処理）と、該総所有価値情報送信要求受信手段における総所有価値情報送信要求の受信に基づいて、該総所有価値情報送信要求に含まれる会員識別情報から特定される会員の前記総所有価値特定手段にて特定された総所有価値の大きさを特定可能な総所有価値情報を、該総所有価値情報送信要求の送信元の情報端末に配信する総所有価値情報配信手段（ＣＰＵ１４２；総所有ポイント数情報送信処理、ＣＰＵ１８２；参加受付けページ配信処理）と、を備える。
【０１５４】
本発明の請求項６は、前記場外管理装置（サイトサーバ１４、管理サーバ１４０）は、前記イベントとして、当該イベントに参加する会員を対象として抽選を行い、当選した会員に対して所定の特典を付与する抽選イベントを提供し、前記総所有価値特定手段（ＣＰＵ１４２；総所有ポイント数特定処理）にて特定された各会員の総所有価値の大きさ（総所有ポイント数）と、前記抽選イベントへの参加に必要な価値の大きさ（１０ポイント）とに基づいて、各会員が抽選イベントへの参加に参加可能な参加口数を特定する参加口数特定手段（ＣＰＵ１４２；参加口数特定処理）と、該抽選イベントに参加する各会員に対して、前記参加口数特定手段にて特定された該会員の参加口数に応じた数の抽選対象値を設定する抽選対象値設定手段（ＣＰＵ１４２；抽選対象値設定処理）と、該設定された抽選対象値から１または複数の抽選対象値を抽出し、該抽出した抽選対象値に対応する会員を当選者と決定する抽選を実施する抽選手段（ＣＰＵ１４２；抽選処理）と、を備える。
【０１５５】
本発明の請求項７は、前記店舗が遊技場であるとともに、前記店舗内装置が前記遊技場内に設置された遊技機（パチンコ機２）に対応して設置される遊技用装置（カードユニット３）を少なくとも含む。
【図面の簡単な説明】
【０１５６】
【図１】本発明の実施例における遊技用システムの構成を示す図である。
【図２】本発明の実施例において用いたパチンコ機並びにカードユニットの正面図である。
【図３】本発明の実施例におけるカードユニットの構成を示すブロック図である。
【図４】本発明の実施例に用いた会員管理コンピュータの構成を示す図である。
【図５】本発明の実施例に用いた会員情報テーブルを示す図である。
【図６】本発明の実施例に用いた管理サーバとサイトサーバの構成を示す図である。
【図７】（ａ）は、本発明の実施例に用いた遊技場別会員情報データベースを示す図であり、（ｂ）は、本発明の実施例に用いた会員別所有ポイント数テーブルを示す図であり、（ｃ）は、本発明の実施例に用いた遊技場情報テーブルを示す図である。
【図８】本発明の実施例に用いた管理サーバにおける抽選設定画面を示す図である。
【図９】本発明の実施例に用いた会員管理コンピュータと管理サーバとにおける処理状況を示す図である。
【図１０】本発明の実施例に用いたカードユニットと会員管理コンピュータと管理サーバとにおける処理状況を示す図である。
【図１１】（ａ）〜（ｃ）は、本発明の実施例に用いたカードユニットの表示部における表示内容を示す図である。
【図１２】本発明の実施例の遊技用システムにおいて、会員遊技者の情報端末に表示されるログインページを示す図である。
【図１３】本発明の実施例の遊技用システムにおいて、会員遊技者の情報端末に表示されるメインメニューページを示す図である。
【図１４】本発明の実施例の遊技用システムにおいて、会員遊技者の情報端末に表示される抽選参加受付けページを示す図である。
【図１５】本発明の実施例の遊技用システムにおいて、会員遊技者の情報端末に表示される消費ポイント内訳受付けページを示す図である。
【図１６】本発明の実施例の遊技用システムにおいて、会員遊技者の情報端末に表示される受付け完了ページを示す図である。
【図１７】本発明の実施例に用いたサイトサーバと管理サーバとにおける処理状況を示す図である。
【符号の説明】
【０１５７】
２          パチンコ機
３          カードユニット
１１        通信回線
１４        サイトサーバ
１５        ノートパソコン
１６        携帯電話
１００      システムコントローラ
１２０      会員管理コンピュータ
１２２      ＣＰＵ
１２４      記憶装置
１４０      管理サーバ
１４２      ＣＰＵ
１４５      記憶装置
１４６      表示装置
１８２      ＣＰＵ
１８４      記憶装置
３２７      カードリーダライタ
３２８      制御ユニット
３３４      通信部
【図１】
0004656558.tif 000002
【図２】
0004656558.tif 000003
【図３】
0004656558.tif 000004
【図４】
0004656558.tif 000005
【図５】
0004656558.tif 000006
【図６】
0004656558.tif 000007
【図７】
0004656558.tif 000008
【図８】
0004656558.tif 000009
【図９】
0004656558.tif 000010
【図１０】
0004656558.tif 000011
【図１１】
0004656558.tif 000012
【図１２】
0004656558.tif 000013
【図１３】
0004656558.tif 000014
【図１４】
0004656558.tif 000015
【図１５】
0004656558.tif 000016
【図１６】
0004656558.tif 000017
【図１７】
0004656558.tif 000018